(57)【要約】【課題】ユーザが嗜好する特定のシーンが含まれている番組や、当該特定のシーンを推薦して提示することができる。【解決手段】記録する情報信号および／または再生された情報信号について特徴量を検出し、その検出した特徴量を用いて、情報信号の区切りを検出する。検出した区切りの隣接するものにより特定される分節区間毎に、当該分節区間に対応付けられたキーワードを取得し、分節区間の情報に対応して記録媒体に情報信号と対応付けて記録する。情報信号の再生時に、再生態様に応じた評価値を各文節区間について付与し、それぞれの分節区間に関連するキーワードについて、前記付与された評価値を累積加算して蓄積する。評価値の大きいキーワードを分節区間のキーワードとして備える情報信号あるいは分節区間を、ユーザに推薦して提示する。【選択図】図１
2007281856.tif 000002
【特許請求の範囲】
【請求項１】
情報信号を記録媒体に記録する情報信号記録手段と、
前記記録媒体に記録された情報信号を読み出して再生する再生手段と、
前記記録する情報信号および／または再生された情報信号について特徴量を検出する特徴量検出手段と、
前記特徴量検出手段で検出された前記特徴量を用いて、前記情報信号の区切りを検出する区切り検出手段と、
前記区切り検出手段で検出された前記区切りの隣接するものにより特定される分節区間毎に、当該分節区間に対応付けられたキーワードを取得するキーワード取得手段と、
前記キーワード取得手段で取得された前記キーワードを、前記情報信号の前記分節区間のそれぞれに対応して前記記録媒体に記録する分節区間毎キーワード記録手段と、
ユーザの操作入力を検出するユーザ操作入力検出手段と、
前記ユーザの操作入力を、前記ユーザ操作入力検出手段の検出出力を監視することにより監視し、前記情報信号を正常に再生することを要求しない操作入力については、負の方向のユーザ評価値を付与するようにして、前記分節区間のそれぞれに対応して、前記操作入力に基づくユーザ評価値を生成するユーザ評価値生成手段と、
前記ユーザ評価値生成手段で生成された前記分節区間のそれぞれについての前記ユーザ評価値を、前記分節区間の前記キーワードの評価値として対応させて、前記キーワード毎に前記ユーザ評価値を累積し、その累積した前記キーワード毎の評価値を蓄積するキーワード評価値累積蓄積手段と、
前記ユーザ評価値累積蓄積手段に蓄積された前記キーワードの評価値を参照し、前記評価値の大きい前記キーワードを前記分節区間のキーワードとして備える前記情報信号あるいは前記分節区間を、前記記録媒体に記録されている前記情報信号あるいは前記分節区間の中から検出して、ユーザに推薦して提示する推薦手段と、
を備える記録再生装置。
【請求項２】
通信網を通じて送られてくる情報信号を受信して、記録媒体に記録する情報信号記録手段と、
前記記録媒体に記録された情報信号を読み出して再生する再生手段と、
前記記録する情報信号および／または再生された情報信号について特徴量を検出する特徴量検出手段と、
前記特徴量検出手段で検出された前記特徴量を用いて、前記情報信号の区切りを検出する区切り検出手段と、
前記区切り検出手段で検出された前記区切りの隣接するものにより特定される分節区間毎に、当該分節区間に対応付けられたキーワードを取得するキーワード取得手段と、
前記キーワード取得手段で取得された前記キーワードを、前記情報信号の前記分節区間のそれぞれに対応して前記記録媒体に記録する分節区間毎キーワード記録手段と、
ユーザの操作入力を検出するユーザ操作入力検出手段と、
前記ユーザの操作入力を、前記ユーザ操作入力検出手段の検出出力を監視することにより監視し、前記情報信号を正常に再生することを要求しない操作入力については、負の方向のユーザ評価値を付与するようにして、前記分節区間のそれぞれに対応して、前記操作入力に基づくユーザ評価値を生成するユーザ評価値生成手段と、
前記ユーザ評価値生成手段で生成された前記分節区間のそれぞれについての前記ユーザ評価値を、前記分節区間の前記キーワードの評価値として対応させて、前記キーワード毎に前記ユーザ評価値を累積し、その累積した前記キーワード毎の評価値を蓄積するキーワード評価値累積蓄積手段と、
前記通信網を通じて送られてくる前記情報信号について、文字情報による関連情報を含む送信予定情報を受信する予定情報取得手段と、
前記予定情報取得手段で取得した前記送信予定情報に含まれる前記文字情報中に、前記ユーザ評価値累積蓄積手段に蓄積された前記キーワードの評価値のうち、前記評価値の大きい前記キーワードを含む送信予定の情報信号を検出して、ユーザに推薦して提示する推薦手段と、
を備える記録再生装置。
【請求項３】
情報信号を記録媒体に記録する情報信号記録手段と、
前記記録媒体に記録された情報信号を読み出して再生する再生手段と、
前記記録する情報信号および／または再生された情報信号について特徴量を検出する特徴量検出手段と、
前記特徴量検出手段で検出された前記特徴量を用いて、前記情報信号の区切りを検出する区切り検出手段と、
前記区切り検出手段で検出された前記区切りの隣接するものにより特定される分節区間毎に、当該分節区間に対応付けられたキーワードを取得するキーワード取得手段と、
前記キーワード取得手段で取得された前記キーワードを、前記情報信号の前記分節区間のそれぞれに対応して前記記録媒体に記録する分節区間毎キーワード記録手段と、
ユーザの操作入力を検出するユーザ操作入力検出手段と、
前記ユーザの操作入力を、前記ユーザ操作入力検出手段の検出出力を監視することにより監視し、前記情報信号を正常に再生することを要求しない操作入力については、負の方向のユーザ評価値を付与するようにして、前記分節区間のそれぞれに対応して、前記操作入力に基づくユーザ評価値を生成するユーザ評価値生成手段と、
前記ユーザ評価値生成手段で生成された前記分節区間のそれぞれについての前記ユーザ評価値を、前記分節区間の前記キーワードの評価値として対応させて、前記キーワード毎に前記ユーザ評価値を累積し、その累積した前記キーワード毎の評価値を蓄積するキーワード評価値累積蓄積手段と、
前記記録媒体に記録された前記分節区間毎の前記キーワードと、前記ユーザ評価値累積蓄積手段に蓄積された前記キーワードの評価値とに基づいて、前記分節区間についての再生態様または前記分節区間を含む情報信号の再生態様を制御する再生制御手段と、
を備える記録再生装置。
【請求項４】
請求項２に記載の記録再生装置において、
前記推薦手段で推薦された前記送信予定の情報信号を自動記録する手段を備える
ことを特徴とする記録再生装置。
【請求項５】
請求項１、請求項２または請求項３に記載の記録再生装置において、
前記情報信号は、テレビ放送信号の受信信号であって、
前記キーワード取得手段は、前記テレビ放送信号に含まれるクローズドキャプションの字幕および文字スーパーのテキストデータから前記キーワードを抽出する
ことを特徴とする記録再生装置。
【請求項６】
請求項１、請求項２または請求項３に記載の記録再生装置において、
前記情報信号は、テレビ放送信号の受信信号であって、
前記キーワード取得手段は、前記テレビ放送信号に含まれるオープンキャプションの字幕および文字スーパーの情報から文字テキストデータを抽出して、前記キーワードを抽出する
ことを特徴とする記録再生装置。
【請求項７】
請求項１、請求項２または請求項３に記載の記録再生装置において、
前記情報信号は、テレビ放送信号の受信信号であって、
前記キーワード取得手段は、前記テレビ放送信号の音声信号を音声認識して、文字テキストデータを抽出して、前記キーワードを抽出する
ことを特徴とする記録再生装置。
【請求項８】
請求項１に記載の記録再生装置において、
前記キーワード評価値累積蓄積手段に記憶されている前記キーワード毎の前記ユーザ評価値に基づいて、前記キーワードにユーザ評価値に応じた順位を付けるランキング手段を備え、
前記推薦手段は、前記ランキング手段により付与された順位が高順位のキーワードと同一のキーワードを前記分節区間のキーワードとして備える前記情報信号あるいは前記分節区間を、前記記録媒体に記録されている前記情報信号あるいは前記分節区間の中から検出して、ユーザに推薦して提示する
ことを特徴とする記録再生装置。
【請求項９】
請求項２に記載の記録再生装置において、
前記キーワード評価値累積蓄積手段に記憶されている前記キーワード毎の前記ユーザ評価値に基づいて、前記キーワードにユーザ評価値に応じた順位を付けるランキング手段を備え、
前記推薦手段は、前記ランキング手段により付与された順位が高順位のキーワードと同一のキーワードを前記送信予定情報に含まれる前記文字情報中に含む前記送信予定の情報信号を検出して、ユーザに推薦して提示する
ことを特徴とする記録再生装置。
【請求項１０】
請求項３に記載の記録再生装置において、
前記キーワード評価値累積蓄積手段に記憶されている前記キーワード毎の前記ユーザ評価値に基づいて、前記キーワードにユーザ評価値に応じた順位を付けるランキング手段を備え、
前記再生制御手段は、前記キーワード評価値累積蓄積手段に評価値が蓄積された前記キーワードのうち、前記ランキング手段により付与された順位が高順位のキーワードと同一のキーワードが関連する前記分節区間または当該分節区間を含む情報信号は、通常再生するように制御する
ことを特徴とする記録再生装置。
【請求項１１】
情報信号を記録媒体に記録する情報信号記録工程と、
前記記録媒体に記録された情報信号を読み出して再生する再生工程と、
前記記録する情報信号および／または再生された情報信号について特徴量を検出する特徴量検出工程と、
前記特徴量検出工程で検出された前記特徴量を記憶する特徴量記憶工程と、
前記特徴量検出工程で検出された前記特徴量を用いて、前記情報信号の区切りを検出する区切り検出工程と、
前記区切り検出工程で検出された前記区切りの隣接するものにより特定される分節区間毎に、当該分節区間に対応付けられたキーワードを取得するキーワード取得工程と、
前記キーワード取得工程で取得された前記キーワードを、前記情報信号の前記分節区間のそれぞれに対応して前記記録媒体に記録する分節区間毎キーワード記録工程と、
ユーザの操作入力を検出するユーザ操作入力検出工程と、
前記ユーザの操作入力を、前記ユーザ操作入力検出工程での検出出力を監視することにより監視し、前記情報信号を正常に再生することを要求しない操作入力については、負の方向のユーザ評価値を付与するようにして、前記分節区間のそれぞれに対応して、前記操作入力に基づくユーザ評価値を生成するユーザ評価値生成工程と、
前記ユーザ評価値生成工程で生成された前記分節区間のそれぞれについての前記ユーザ評価値を、前記分節区間の前記キーワードの評価値として対応させて、前記キーワード毎に前記ユーザ評価値を累積し、その累積した前記キーワード毎の評価値を蓄積するキーワード評価値累積蓄積工程と、
前記ユーザ評価値累積蓄積工程で蓄積された前記キーワードの評価値を参照し、前記評価値の大きい前記キーワードを前記分節区間のキーワードとして備える前記情報信号あるいは前記分節区間を、前記記録媒体に記録されている前記情報信号あるいは前記分節区間の中から検出して、ユーザに推薦して提示する推薦工程と、
を備える記録再生方法。
【請求項１２】
情報信号を記録媒体に記録する情報信号記録工程と、
前記記録媒体に記録された情報信号を読み出して再生する再生工程と、
前記記録する情報信号および／または再生された情報信号について特徴量を検出する特徴量検出工程と、
前記特徴量検出工程で検出された前記特徴量を記憶する特徴量記憶工程と、
前記特徴量検出工程で検出された前記特徴量を用いて、前記情報信号の区切りを検出する区切り検出工程と、
前記区切り検出工程で検出された前記区切りの隣接するものにより特定される分節区間毎に、当該分節区間に対応付けられたキーワードを取得するキーワード取得工程と、
前記キーワード取得工程で取得された前記キーワードを、前記情報信号の前記分節区間のそれぞれに対応して前記記録媒体に記録する分節区間毎キーワード記録工程と、
ユーザの操作入力を検出するユーザ操作入力検出工程と、
前記ユーザの操作入力を、前記ユーザ操作入力検出工程での検出出力を監視することにより監視し、前記情報信号を正常に再生することを要求しない操作入力については、負の方向のユーザ評価値を付与するようにして、前記分節区間のそれぞれに対応して、前記操作入力に基づくユーザ評価値を生成するユーザ評価値生成工程と、
前記ユーザ評価値生成工程で生成された前記分節区間のそれぞれについての前記ユーザ評価値を、前記分節区間の前記キーワードの評価値として対応させて、前記キーワード毎に前記ユーザ評価値を累積し、その累積した前記キーワード毎の評価値を蓄積するキーワード評価値累積蓄積工程と、
前記通信網を通じて送られてくる前記情報信号について、文字情報による関連情報を含む送信予定情報を受信する予定情報取得工程と、
前記予定情報取得工程で取得した前記送信予定情報に含まれる前記文字情報中に、前記ユーザ評価値累積蓄積工程で蓄積された前記キーワードの評価値のうち、前記評価値の大きい前記キーワードを含む送信予定の情報信号を検出して、ユーザに推薦して提示する推薦工程と、
を備える記録再生方法。
【請求項１３】
情報信号を記録媒体に記録する情報信号記録工程と、
前記記録媒体に記録された情報信号を読み出して再生する再生工程と、
前記記録する情報信号および／または再生された情報信号について特徴量を検出する特徴量検出工程と、
前記特徴量検出工程で検出された前記特徴量を記憶する特徴量記憶工程と、
前記特徴量検出工程で検出された前記特徴量を用いて、前記情報信号の区切りを検出する区切り検出工程と、
前記区切り検出工程で検出された前記区切りの隣接するものにより特定される分節区間毎に、当該分節区間に対応付けられたキーワードを取得するキーワード取得工程と、
前記キーワード取得工程で取得された前記キーワードを、前記情報信号の前記分節区間のそれぞれに対応して前記記録媒体に記録する分節区間毎キーワード記録工程と、
ユーザの操作入力を検出するユーザ操作入力検出工程と、
前記ユーザの操作入力を、前記ユーザ操作入力検出工程での検出出力を監視することにより監視し、前記情報信号を正常に再生することを要求しない操作入力については、負の方向のユーザ評価値を付与するようにして、前記分節区間のそれぞれに対応して、前記操作入力に基づくユーザ評価値を生成するユーザ評価値生成工程と、
前記ユーザ評価値生成工程で生成された前記分節区間のそれぞれについての前記ユーザ評価値を、前記分節区間の前記キーワードの評価値として対応させて、前記キーワード毎に前記ユーザ評価値を累積し、その累積した前記キーワード毎の評価値を蓄積するキーワード評価値累積蓄積工程と、
前記記録媒体に記録された前記分節区間毎の前記キーワードと、前記ユーザ評価値累積蓄積手段に蓄積された前記キーワードの評価値とに基づいて、前記分節区間についての再生態様または前記分節区間を含む情報信号の再生態様を制御する再生制御工程と、
を備えることを特徴とする記録再生方法。
【請求項１４】
情報信号が記録されると共に、前記情報信号についての特徴量が用いられて前記情報信号の区切りが検出され、前記区切りの隣接するものにより特定される分節区間毎に、当該分節区間に対応付けられたキーワードが前記情報信号および前記分節区間に対応付けられて記録されている記録媒体から前記情報信号を読み出して再生する再生手段と、
ユーザの操作入力を検出するユーザ操作入力検出手段と、
前記ユーザの操作入力を、前記ユーザ操作入力検出手段の検出出力を監視することにより監視し、前記情報信号を正常に再生することを要求しない操作入力については、負の方向のユーザ評価値を付与するようにして、前記分節区間のそれぞれに対応して、前記操作入力に基づくユーザ評価値を生成するユーザ評価値生成手段と、
前記ユーザ評価値生成手段で生成された前記分節区間のそれぞれについての前記ユーザ評価値を、前記分節区間の前記キーワードの評価値として対応させて、前記キーワード毎に前記ユーザ評価値を累積し、その累積した前記キーワード毎の評価値を蓄積するキーワード評価値累積蓄積手段と、
前記ユーザ評価値累積蓄積手段に蓄積された前記キーワードの評価値を参照し、前記評価値の大きい前記キーワードを前記分節区間のキーワードとして備える前記情報信号あるいは前記分節区間を、前記記録媒体に記録されている前記情報信号あるいは前記分節区間の中から検出して、ユーザに推薦して提示する推薦手段と、
を備える再生装置。
【請求項１５】
情報信号が記録されると共に、前記情報信号についての特徴量が用いられて前記情報信号の区切りが検出され、前記区切りの隣接するものにより特定される分節区間毎に、当該分節区間に対応付けられたキーワードが前記情報信号および前記分節区間に対応付けられて記録されている記録媒体から前記情報信号を読み出して再生する再生手段と、
ユーザの操作入力を検出するユーザ操作入力検出手段と、
前記ユーザの操作入力を、前記ユーザ操作入力検出手段の検出出力を監視することにより監視し、前記情報信号を正常に再生することを要求しない操作入力については、負の方向のユーザ評価値を付与するようにして、前記分節区間のそれぞれに対応して、前記操作入力に基づくユーザ評価値を生成するユーザ評価値生成手段と、
前記ユーザ評価値生成手段で生成された前記分節区間のそれぞれについての前記ユーザ評価値を、前記分節区間の前記キーワードの評価値として対応させて、前記キーワード毎に前記ユーザ評価値を累積し、その累積した前記キーワード毎の評価値を蓄積するキーワード評価値累積蓄積手段と、
前記通信網を通じて送られてくる前記情報信号について、文字情報による関連情報を含む送信予定情報を受信する予定情報取得手段と、
前記予定情報取得手段で取得した前記送信予定情報に含まれる前記文字情報中に、前記ユーザ評価値累積蓄積手段に蓄積された前記キーワードの評価値のうち、前記評価値の大きい前記キーワードを含む送信予定の情報信号を検出して、ユーザに推薦して提示する推薦手段と、
を備える再生装置。
【請求項１６】
情報信号が記録されると共に、前記情報信号についての特徴量が用いられて前記情報信号の区切りが検出され、前記区切りの隣接するものにより特定される分節区間毎に、当該分節区間に対応付けられたキーワードが前記情報信号および前記分節区間に対応付けられて記録されている記録媒体から前記情報信号を読み出して再生する再生手段と、
ユーザの操作入力を検出するユーザ操作入力検出手段と、
前記ユーザの操作入力を、前記ユーザ操作入力検出手段の検出出力を監視することにより監視し、前記情報信号を正常に再生することを要求しない操作入力については、負の方向のユーザ評価値を付与するようにして、前記分節区間のそれぞれに対応して、前記操作入力に基づくユーザ評価値を生成するユーザ評価値生成手段と、
前記ユーザ評価値生成手段で生成された前記分節区間のそれぞれについての前記ユーザ評価値を、前記分節区間の前記キーワードの評価値として対応させて、前記キーワード毎に前記ユーザ評価値を累積し、その累積した前記キーワード毎の評価値を蓄積するキーワード評価値累積蓄積手段と、
前記記録媒体に記録された前記分節区間毎の前記キーワードと、前記ユーザ評価値累積蓄積手段に蓄積された前記キーワードの評価値とに基づいて、前記分節区間についての再生態様または前記分節区間を含む情報信号の再生態様を制御する再生制御手段と、
を備える再生装置。
【請求項１７】
情報信号が記録されると共に、前記情報信号についての特徴量が用いられて前記情報信号の区切りが検出され、前記区切りの隣接するものにより特定される分節区間毎に、当該分節区間に対応付けられたキーワードが前記情報信号および前記分節区間に対応付けられて記録されている記録媒体から前記情報信号を読み出して再生する再生工程と、
ユーザの操作入力を検出するユーザ操作入力検出工程と、
前記ユーザの操作入力を、前記ユーザ操作入力検出工程での検出出力を監視することにより監視し、前記情報信号を正常に再生することを要求しない操作入力については、負の方向のユーザ評価値を付与するようにして、前記分節区間のそれぞれに対応して、前記操作入力に基づくユーザ評価値を生成するユーザ評価値生成工程と、
前記ユーザ評価値生成工程で生成された前記分節区間のそれぞれについての前記ユーザ評価値を、前記分節区間の前記キーワードの評価値として対応させて、前記キーワード毎に前記ユーザ評価値を累積し、その累積した前記キーワード毎の評価値を蓄積するキーワード評価値累積蓄積工程と、
前記ユーザ評価値累積蓄積工程で蓄積された前記キーワードの評価値を参照し、前記評価値の大きい前記キーワードを前記分節区間のキーワードとして備える前記情報信号あるいは前記分節区間を、前記記録媒体に記録されている前記情報信号あるいは前記分節区間の中から検出して、ユーザに推薦して提示する推薦工程と、
を備える再生方法。
【請求項１８】
情報信号が記録されると共に、前記情報信号についての特徴量が用いられて前記情報信号の区切りが検出され、前記区切りの隣接するものにより特定される分節区間毎に、当該分節区間に対応付けられたキーワードが前記情報信号および前記分節区間に対応付けられて記録されている記録媒体から前記情報信号を読み出して再生する再生手段と、
ユーザの操作入力を検出するユーザ操作入力検出工程と、
前記ユーザの操作入力を、前記ユーザ操作入力検出工程での検出出力を監視することにより監視し、前記情報信号を正常に再生することを要求しない操作入力については、負の方向のユーザ評価値を付与するようにして、前記分節区間のそれぞれに対応して、前記操作入力に基づくユーザ評価値を生成するユーザ評価値生成工程と、
前記ユーザ評価値生成工程で生成された前記分節区間のそれぞれについての前記ユーザ評価値を、前記分節区間の前記キーワードの評価値として対応させて、前記キーワード毎に前記ユーザ評価値を累積し、その累積した前記キーワード毎の評価値を蓄積するキーワード評価値累積蓄積工程と、
前記通信網を通じて送られてくる前記情報信号について、文字情報による関連情報を含む送信予定情報を受信する予定情報取得工程と、
前記予定情報取得工程で取得した前記送信予定情報に含まれる前記文字情報中に、前記ユーザ評価値累積蓄積工程で蓄積された前記キーワードの評価値のうち、前記評価値の大きい前記キーワードを含む送信予定の情報信号を検出して、ユーザに推薦して提示する推薦工程と、
を備える再生方法。
【請求項１９】
情報信号が記録されると共に、前記情報信号についての特徴量が用いられて前記情報信号の区切りが検出され、前記区切りの隣接するものにより特定される分節区間毎に、当該分節区間に対応付けられたキーワードが前記情報信号および前記分節区間に対応付けられて記録されている記録媒体から前記情報信号を読み出して再生する再生工程と、
ユーザの操作入力を検出するユーザ操作入力検出工程と、
前記ユーザの操作入力を、前記ユーザ操作入力検出工程での検出出力を監視することにより監視し、前記情報信号を正常に再生することを要求しない操作入力については、負の方向のユーザ評価値を付与するようにして、前記分節区間のそれぞれに対応して、前記操作入力に基づくユーザ評価値を生成するユーザ評価値生成工程と、
前記ユーザ評価値生成工程で生成された前記分節区間のそれぞれについての前記ユーザ評価値を、前記分節区間の前記キーワードの評価値として対応させて、前記キーワード毎に前記ユーザ評価値を累積し、その累積した前記キーワード毎の評価値を蓄積するキーワード評価値累積蓄積工程と、
前記記録媒体に記録された前記分節区間毎の前記キーワードと、前記ユーザ評価値累積蓄積工程で蓄積された前記キーワードの評価値とに基づいて、前記分節区間についての再生態様または前記分節区間を含む情報信号の再生態様を制御する再生制御工程と、
を備える再生方法。
【発明の詳細な説明】
【技術分野】
【０００１】
この発明は、例えばテレビ放送番組等の情報信号を記録し再生する記録再生装置および記録再生方法に関する。
【背景技術】
【０００２】
例えばテレビ放送番組などをハードディスクやＤＶＤ（Ｄｉｇｉｔａｌ  Ｖｅｒｓａｔｉｌｅ  Ｄｉｓｃ）などの記録媒体に記録し、当該記録したテレビ放送番組を再生する記録再生装置が普及している。
【０００３】
このような記録再生装置で、記録したテレビ放送番組などを再生して視聴する場合において、ユーザの嗜好に応じた再生候補番組が記録再生装置により推薦されると非常に便利である。
【０００４】
特許文献１（特開２００２−１１２１８６号公報）には、ＥＰＧ（Ｅｌｅｃｔｒｏｎｉｃ  Ｐｒｏｇｒａｍｍｉｎｇ  Ｇｕｉｄｅ）情報と、ユーザの視聴履歴情報とからユーザの嗜好を判定し、その判定結果に基づいて、再生候補番組をユーザに提示する方法が記載されている。
【０００５】
上記の特許文献は、次の通りである。
【特許文献１】特開２００２−１１２１８６号公報
【発明の開示】
【発明が解決しようとする課題】
【０００６】
しかしながら、上記の特許文献１に記載の方法では、番組単位のＥＰＧ情報や視聴履歴情報から、再生候補番組をユーザに提示するようにするので、ユーザが嗜好する特定のシーンが含まれている番組を推薦して提示することはできないという問題がある。
【０００７】
例えば、あるユーザが料理に嗜好を有する場合、従来の方法では料理番組を推薦して提示することはできるが、例えばバラエティー番組や歌番組中に、料理に関するいわゆるコーナ（料理コーナ；シーン）が存在しても、その料理コーナが存在するバラエティー番組は料理番組ではないので、推薦番組の対象とはならない。
【０００８】
また、前記料理コーナのみを抽出してユーザが視聴したいという要求に対しては、上述の特許文献１の方法では全く対処することができない。
【０００９】
この発明は、以上の点にかんがみ、ユーザが嗜好する特定のシーンが含まれている番組や、当該特定のシーンを推薦して提示することができるようにすることを目的とする。
【課題を解決するための手段】
【００１０】
上記の課題を解決するために、請求項１の発明は、
情報信号を記録媒体に記録する情報信号記録手段と、
前記記録媒体に記録された情報信号を読み出して再生する再生手段と、
前記記録する情報信号および／または再生された情報信号について特徴量を検出する特徴量検出手段と、
前記特徴量検出手段で検出された前記特徴量を用いて、前記情報信号の区切りを検出する区切り検出手段と、
前記区切り検出手段で検出された前記区切りの隣接するものにより特定される分節区間毎に、当該分節区間に対応付けられたキーワードを取得するキーワード取得手段と、
前記キーワード取得手段で取得された前記キーワードを、前記情報信号の前記分節区間のそれぞれに対応して前記記録媒体に記録する分節区間毎キーワード記録手段と、
ユーザの操作入力を検出するユーザ操作入力検出手段と、
前記ユーザの操作入力を、前記ユーザ操作入力検出手段の検出出力を監視することにより監視し、前記情報信号を正常に再生することを要求しない操作入力については、負の方向のユーザ評価値を付与するようにして、前記分節区間のそれぞれに対応して、前記操作入力に基づくユーザ評価値を生成するユーザ評価値生成手段と、
前記ユーザ評価値生成手段で生成された前記分節区間のそれぞれについての前記ユーザ評価値を、前記分節区間の前記キーワードの評価値として対応させて、前記キーワード毎に前記ユーザ評価値を累積し、その累積した前記キーワード毎の評価値を蓄積するキーワード評価値累積蓄積手段と、
前記ユーザ評価値累積蓄積手段に蓄積された前記キーワードの評価値を参照し、前記評価値の大きい前記キーワードを前記分節区間のキーワードとして備える前記情報信号あるいは前記分節区間を、前記記録媒体に記録されている前記情報信号あるいは前記分節区間の中から検出して、ユーザに推薦して提示する推薦手段と、
を備える記録再生装置を提供する。
【００１１】
上記の構成の請求項１の発明においては、早送り再生指示操作やスキップ指示操作などの通常再生を行わないユーザ操作入力がなされたとき、そのユーザ操作入力がなされた情報信号の分節区間に対して負のユーザ評価値が付与され、巻き戻し再生など、ユーザが、より再生を欲する嗜好区間に対しては、より正方向のユーザ評価値が付与される。
【００１２】
そして、各分節区間のそれぞれについてのユーザ評価値を、各分節区間のキーワードの評価値として対応させて、キーワード毎にユーザ評価値を累積し、その累積したキーワード毎の評価値をキーワード評価値累積蓄積手段に蓄積する。したがって、キーワード評価値累積蓄積手段に蓄積されたキーワードのうち、評価値が高いキーワードは、ユーザが嗜好するシーンに関連するキーワードとなっている。
【００１３】
一方、情報信号は、その分節区間毎のキーワードと共に記録媒体に記録されている。推薦手段は、記録媒体に記録されている情報信号のうちの、キーワード評価値累積蓄積手段に蓄積されているキーワードのうちの、ユーザが嗜好するシーンに関連する評価値の高いキーワードを含む分節区間または当該分節区間を含む情報信号を検出して、それをユーザに推薦して提示するようにする。
【００１４】
例えばテレビ放送番組を例にとると、提示された分節区間は、ユーザが嗜好するシーンである可能性が高い。また、当該分節区間を含む番組は、ユーザが嗜好するシーンを含む番組である可能性が高い。こうして、請求項１の発明によれば、記録された情報信号の中から、ユーザが嗜好するシーンやユーザが嗜好するシーンを含む番組が、ユーザに推薦、提示される。
【００１５】
また、請求項２の発明は、
通信網を通じて送られてくる情報信号を受信して、記録媒体に記録する情報信号記録手段と、
前記記録媒体に記録された情報信号を読み出して再生する再生手段と、
前記記録する情報信号および／または再生された情報信号について特徴量を検出する特徴量検出手段と、
前記特徴量検出手段で検出された前記特徴量を用いて、前記情報信号の区切りを検出する区切り検出手段と、
前記区切り検出手段で検出された前記区切りの隣接するものにより特定される分節区間毎に、当該分節区間に対応付けられたキーワードを取得するキーワード取得手段と、
前記キーワード取得手段で取得された前記キーワードを、前記情報信号の前記分節区間のそれぞれに対応して前記記録媒体に記録する分節区間毎キーワード記録手段と、
ユーザの操作入力を検出するユーザ操作入力検出手段と、
前記ユーザの操作入力を、前記ユーザ操作入力検出手段の検出出力を監視することにより監視し、前記情報信号を正常に再生することを要求しない操作入力については、負の方向のユーザ評価値を付与するようにして、前記分節区間のそれぞれに対応して、前記操作入力に基づくユーザ評価値を生成するユーザ評価値生成手段と、
前記ユーザ評価値生成手段で生成された前記分節区間のそれぞれについての前記ユーザ評価値を、前記分節区間の前記キーワードの評価値として対応させて、前記キーワード毎に前記ユーザ評価値を累積し、その累積した前記キーワード毎の評価値を蓄積するキーワード評価値累積蓄積手段と、
前記通信網を通じて送られてくる前記情報信号について、文字情報による関連情報を含む送信予定情報を受信する予定情報取得手段と、
前記予定情報取得手段で取得した前記送信予定情報に含まれる前記文字情報中に、前記ユーザ評価値累積蓄積手段に蓄積された前記キーワードの評価値のうち、前記評価値の大きい前記キーワードを含む送信予定の情報信号を検出して、ユーザに推薦して提示する推薦手段と、
を備える記録再生装置を提供する。
【００１６】
この請求項２の発明においては、請求項１の発明と全く同様にして、キーワード評価値累積蓄積手段に蓄積されたキーワードのうち、評価値が高いキーワードは、ユーザが嗜好するシーンに関連するキーワードとなっている。
【００１７】
この請求項２においては、推薦手段は、例えばＥＰＧデータのような送信予定情報に含まれる文字情報中に、キーワード評価値累積蓄積手段に蓄積されているキーワードのうちの、ユーザが嗜好するシーンに関連する評価値の高いキーワードを含む送信予定の情報信号を検出し、その送信予定の情報信号をユーザに推薦、提示するようにする。
【００１８】
また、請求項３の発明は、
情報信号を記録媒体に記録する情報信号記録手段と、
前記記録媒体に記録された情報信号を読み出して再生する再生手段と、
前記記録する情報信号および／または再生された情報信号について特徴量を検出する特徴量検出手段と、
前記特徴量検出手段で検出された前記特徴量を用いて、前記情報信号の区切りを検出する区切り検出手段と、
前記区切り検出手段で検出された前記区切りの隣接するものにより特定される分節区間毎に、当該分節区間に対応付けられたキーワードを取得するキーワード取得手段と、
前記キーワード取得手段で取得された前記キーワードを、前記情報信号の前記分節区間のそれぞれに対応して前記記録媒体に記録する分節区間毎キーワード記録手段と、
ユーザの操作入力を検出するユーザ操作入力検出手段と、
前記ユーザの操作入力を、前記ユーザ操作入力検出手段の検出出力を監視することにより監視し、前記情報信号を正常に再生することを要求しない操作入力については、負の方向のユーザ評価値を付与するようにして、前記分節区間のそれぞれに対応して、前記操作入力に基づくユーザ評価値を生成するユーザ評価値生成手段と、
前記ユーザ評価値生成手段で生成された前記分節区間のそれぞれについての前記ユーザ評価値を、前記分節区間の前記キーワードの評価値として対応させて、前記キーワード毎に前記ユーザ評価値を累積し、その累積した前記キーワード毎の評価値を蓄積するキーワード評価値累積蓄積手段と、
前記記録媒体に記録された前記分節区間毎の前記キーワードと、前記ユーザ評価値累積蓄積手段に蓄積された前記キーワードの評価値とに基づいて、前記分節区間についての再生態様または前記分節区間を含む情報信号の再生態様を制御する再生制御手段と、
を備える記録再生装置を提供する。
【００１９】
この請求項３の発明においても、請求項１および請求項２の発明と全く同様にして、キーワード評価値累積蓄積手段に蓄積されたキーワードのうち、評価値が高いキーワードは、ユーザが嗜好するシーンに関連するキーワードとなっている。
【００２０】
そして、この請求項３においては、再生制御手段は、記録媒体から読み出された情報信号に際して、例えば、キーワード評価値累積蓄積手段に蓄積されているキーワードのうちの、ユーザが嗜好するシーンに関連する評価値の高いキーワードを含む分節区間はノーマル再生し、その他の分節区間は早送りやスキップするなどの再生制御をすることができる。
【発明の効果】
【００２１】
この発明によれば、例えば放送番組を例にとると、ユーザが嗜好するシーンやユーザが嗜好するシーンを含む番組が、ユーザに推薦されて、提示される。したがって、ユーザが嗜好するシーンや当該シーンを含む番組のみを録画したり、再生したりすることが可能になる。
【発明を実施するための最良の形態】
【００２２】
以下、この発明による記録再生装置および方法の実施形態を、図を参照しながら説明する。
【００２３】
以下に説明する実施形態においては、再生対象あるいは記録再生の対象の情報信号は、例えば受信したテレビ放送番組の映像信号および音声信号や、記録媒体に記録された映像信号および音声信号とされている。なお、以下の実施形態は、記録再生装置にこの発明を適用した場合の例であり、再生装置および再生方法の実施形態は、当該記録再生装置の再生系に具現化されている。また、以下の実施形態は、記録再生装置が地上デジタルテレビ放送を受信する場合の例である。
【００２４】
［第１の実施形態］
第１の実施形態は、受信したテレビ放送番組の映像信号および音声信号からなる情報信号を、内蔵するハードディスク装置などからなる内部記録媒体や、ＤＶＤなどのリムーバルな外部記録媒体に記録し、また、これらの内蔵記録媒体や外部記録媒体に記録された情報信号を読み出して再生する機能を備える記録再生装置に、この発明を適用した場合の例である。
【００２５】
この例の記録再生装置は、テレビ放送番組の映像信号および音声信号を内蔵記録媒体または外部記録媒体に記録し、また、これらの記録媒体に記録されている映像信号および音声信号を再生する機能を備えるだけでなく、記録するテレビ放送番組の映像信号および音声信号または再生した映像信号および音声信号の特徴量を検出し、その検出出力から、特徴点としてのシーン変化点を検出し、その検出したシーン変化点の情報を、テレビ放送番組の情報信号と共に、記録媒体に記録する機能を備える。
【００２６】
そして、この実施形態では、検出した特徴点のデータ（シーン変化点のデータ）は、記録放送番組についての付加情報ファイルとして記録媒体の所定記録領域に記録するようにする。なお、検出した特徴点から、放送番組の開始点や終了点、あるいはＣＭの開始点などをチャプター点として生成し、生成したチャプター点をシーン変化点として、そのデータリストを、記録媒体に記録するようにしてもよい。
【００２７】
ここで、シーン変化点は、情報信号の区切りに対応し、例えば番組本編とコマーシャル（以下、ＣＭと略称する）との区切りのみではなく、番組本編内の番組宣伝の区間の開始点および終了点、番組オープニングや番組エンディングの区間の開始点や終了点の他、番組本編内で、場面が大きく変化する場面変化点（いわゆるシーンチェンジ）を含む。また、この実施形態では、複数個のＣＭが連続するとき、それぞれのＣＭの開始点、終了点もシーン変化点として検出することができるようにされている。
【００２８】
なお、この実施形態の説明においては、隣接するシーン変化点により特定されるテレビ放送番組の情報信号（映像信号や音声信号）の区間、すなわち、隣接するシーン変化点の間の区間（これを分節区間と称することとする）を、シーンと呼ぶことにする。
【００２９】
［第１の実施形態の記録再生装置のハードウエア構成例］
図１は、第１の実施形態の記録再生装置のハードウエア構成例を示すブロックである。図１において、システムコントローラ部２０は、マイクロコンピュータを備えて構成されるもので、この例の記録再生装置における各種モードの制御およびその他の動作制御を行なう。
【００３０】
このシステムコントローラ部２０には、例えばリモートコマンダ２２を用いた、あるいは、記録再生装置の操作ボタンを通じた、ユーザの操作入力に応じて操作入力情報が、ユーザ入力インターフェース部２１を通じて供給される。システムコントローラ部２０は、入力された操作入力情報を判別し、当該操作入力情報に応じた処理を実行する。
【００３１】
システムコントローラ部２０には、表示処理部２３を通じて、例えばＬＣＤ（Ｌｉｑｕｉｄ  Ｃｒｙｓｔａｌ  Ｄｉｓｐｌａｙ）などからなる表示部２４が接続されており、この表示部２４に、ユーザの操作入力に際して参考となる表示情報が表示される。ユーザは、この表示部２４の表示を見ながら、種々の操作入力をする。
【００３２】
＜記録系処理＞
先ず、図１を参照しながら、この例の記録再生装置の記録系について説明する。  
ユーザが、例えばリモートコマンダ２２を用いて、あるいは、記録再生装置の操作ボタンを通じて、記録指示のコマンド入力をすると、その操作情報が、ユーザインターフェース部２１を通じてシステムコントローラ部２０に供給され、このシステムコントローラ部２０による制御の下で、記録再生装置は、以下のような記録処理を行なう。
【００３３】
受信部２は、この例では、地上デジタルテレビ放送の受信用として、テレビチューナ、デスクランブラ、ＴＳ（Ｔｒａｎｓｐｏｒｔ  Ｓｔｒｅａｍ）デコード部、映像および音声デコーダ部などを備える。
【００３４】
前述の記録指示のコマンド入力に先立ち、ユーザは、リモートコマンダ２２を用いて、あるいは、記録再生装置の操作ボタンを通じて選局入力操作をする。すると、その操作情報が、ユーザインターフェース部２１を通じてシステムコントローラ部２０に供給され、システムコントローラ部２０は、ユーザの選局操作に応じた放送チャンネルを選択するようにするための選局制御情報を受信部２に供給する。この選局の際、システムコントローラ部２０は、表示処理部２３を通じて表示部２４に選局中の放送チャンネルの表示を行なうので、ユーザは、この表示部２４の表示を見ながら、選局操作をする。
【００３５】
受信部２は、この選局制御情報を受けて、受信アンテナ１で受信したテレビ放送電波から、ユーザが選局した放送チャンネルの放送番組を選択抽出し、当該選択抽出した放送番組から映像信号および音声信号をデコードする。
【００３６】
受信部２で選択抽出され、デコードされたテレビ放送番組の音声信号および映像信号は、記録信号エンコード処理部３に供給されて、所定のサンプリング周波数、所定の量子化ビット数で、Ａ／Ｄ（Ａｎａｌｏｇ  ｔｏ  Ｄｉｇｉｔａｌ）変換信号処理が行われ、その変換後のデジタル音声信号およびデジタル映像信号が、記録エンコード処理される。
【００３７】
ここで記録エンコード処理としては、デジタル音声信号に対しては、例えばＭＰＥＧオーディオやＡＣ−３オーディオ（ドルビーＡＣ−３、またはＡｕｄｉｏ Ｃｏｄｅ Ｎｕｍｂｅｒ ３）などの所定の帯域圧縮方式でデータ圧縮処理が行われる。
【００３８】
また、デジタル映像信号に対しては、記録エンコード処理として、例えばＭＰＥＧビデオやウェーブレット変換などの所定の帯域圧縮方式でデータ圧縮処理が行われる。そして、データ圧縮処理された映像データは、前記圧縮音声データと多重化されて、記録処理部４を通じて内蔵の記録媒体５に記録される。
【００３９】
また、ユーザが、内蔵の記録媒体５ではなく、着脱可能な外部記録媒体７への記録を指示している場合には、記録処理部４は、システムコントローラ部２０からの制御信号に応じて、記録信号エンコード処理部３からの多重化データを、外部記録媒体処理部６を通じて外部記録媒体７に記録するようにする。
【００４０】
このとき、記録される放送番組には識別情報（記録番組識別情報という）が付与され、圧縮映像データおよび圧縮音声データは、この記録番組識別情報が付加されて記録媒体５および外部記録媒体７に記録される。この記録番組識別情報は、再生時の検索用に用いられる。
【００４１】
ここで、内蔵の記録媒体５は、この例では、ハードディスク装置で構成される。また、外部記録媒体７は、この例では、ＤＶＤとされている。
【００４２】
地上デジタルテレビ放送において、クローズドキャプションにより放送される字幕・文字スーパーの情報も、記録信号エンコード処理部３に送られ、映像情報および音声情報と共に、記録番組識別情報により対応付けられて記録媒体５または外部記録媒体７に記録される。
【００４３】
また、この例の記録再生装置では、受信部２では、放送番組に関するサービス情報が抽出され、当該抽出された情報がＥＰＧ（電子番組表；Ｅｌｅｃｔｒｏｎｉｃ  Ｐｒｏｇｒａｍｍｉｎｇ  Ｇｕｉｄｅ）取得部８に供給される。ＥＰＧ取得部８は、受け取った放送番組に関するサービス情報からＥＰＧデータを生成し、システムコントローラ部２０に入力するようにする。
【００４４】
また、記録エンコード処理部３からのデジタル音声信号およびデジタル映像信号は、特徴量検出部９に供給されて、予め定められた種々の特徴量が検出され、その検出された特徴量がシーン変化点検出部１０に供給される。
【００４５】
特徴量検出部９で行なう特徴量の検出としては、番組本編とＣＭとの区切り、複数個のＣＭが連続するとき、それぞれのＣＭの開始点、終了点を検出するためのものとしては、無音区間の検出、黒レベル区間の検出などが用いられる。また、ＣＭ区間の時間長は１５秒、３０秒、４５秒、６０秒などのように、１５秒の倍数となっているので、検出された無音区間や黒レベル区間の時間長さが１５秒の倍数となっているかもＣＭ区間の検出に用いられる。
【００４６】
また、その他の特徴量の検出としては、シーンチェンジの検出、テロップの検出、人物の検出、肌色検出、トーク検出、音楽検出、盛り上がり検出などが用いられる。ここで、盛り上がり検出は、静かな状態から急激な音量変化があったり、大きな拍手があったりすることを検出することにより行なわれる。
【００４７】
すなわち、特徴量検出部９では、この例では、各種映像特性データおよび各種音声特性データと所定のパラメータデータとにより、所定のテロップ特徴データ（テロップ区間判定データ）、人物特徴データその他の画像特徴データ（画像特徴区間判定データ）、および話者音声特徴データ（話者音声判定データ）、拍手歓声特徴データ（拍手歓声判定データ）、その他の音声特徴データ（音声特徴区間判定データ）の各種特徴抽出処理が行われる。
【００４８】
なお、特徴量検出部９には、記録エンコード処理部３からの、データ圧縮処理過程の途中で得られるデータが入力される。この例では、後述するように、再生信号についても特徴量検出を行ない、シーン変化点の検出を行なうことを考慮して、データ圧縮処理過程の途中で得られるデータを用いて特徴量検出部９での特徴量の検出およびシーン変化点検出部１０におけるシーン変化点の検出を行なうようにする。
【００４９】
このようにすれば、再生信号について、特徴量検出およびシーン変化点の検出を行なう際に、再生信号を完全に圧縮デコードして、元のデジタル音声データおよびデジタル映像データに戻す必要がなく、圧縮デコード処理の途中のデータを用いて特徴量検出およびシーン変化点検出を行なうことができ、検出処理が早くなるというメリットがある。
【００５０】
シーン変化点検出部１０では、特徴量検出部９で検出された特徴量からシーン変化点を検出する。この場合に、シーン変化点検出部１０は、前述したように、例えば番組本編とＣＭとの区切りのみではなく、番組本編内の番組宣伝の区間の開始点および終了点、番組オープニングや番組エンディングの区間の開始点や終了点の他、番組本編内で、場面が大きく変化する場面変化点、複数個のＣＭが連続するとき、それぞれのＣＭの開始点、終了点などを、区切りとしてのシーン変化点（特徴点）として検出する。この例の場合、このシーン変化点の検出データは、ＣＭや番組本編、番組オープニング、番組エンディングなどのシーンの開始点および終了点の位置情報（例えばＣＭを含めた放送番組の先頭位置を基準にしたフレーム番号（あるいはフィールド番号））である。
【００５１】
なお、受信した放送番組の情報に、番組タイトルや番組のジャンルなどの情報が含まれている場合には、特徴量検出部９では、これら番組タイトルやジャンルの情報をも、特徴量として検出し、シーン変化点検出部１０に送る。したがって、シーン変化点検出部１０は、これら番組タイトルやジャンルの情報をも用いて、シーン変化点の検出を行なう。
【００５２】
そして、シーン変化点検出部１０からのシーン変化点の位置データは、記録処理部４に供給され、この記録処理部４により記録処理がなされて、記録媒体５の所定の記録領域、この例では、付加情報ファイルの領域に記録される。あるいは、シーン変化点検出部１０で得られたシーン変化点の位置データは、記録処理部４から外部記録媒体処理部６に供給され、この外部記録媒体処理部６で記録処理がなされて、外部記録媒体７の所定の記録領域、この例では、その付加情報ファイルの領域に記録される。
【００５３】
この場合、シーン変化点の位置データの付加情報ファイルは、内蔵の記録媒体５または外部記録媒体７に記録される、対応する放送番組の映像データおよび音声データとは、前述した記録番組識別情報により対応付けられて、前記付加情報ファイルの領域に記録される。
【００５４】
また、シーン変化点の位置データは、この実施形態では、例えば、記録される放送番組のフレーム番号（またはフィールド番号）が用いられることにより、当該記録される放送番組の一塊について、その映像データおよび音声データのフレーム位置（またはフィールド位置）と対応付けられているものである。
【００５５】
また、記録信号エンコード処理部３は、受信部２からの信号に含まれるクローズドキャプションにより放送された字幕・文字スーパーの情報を、字幕・文字スーパー検出部３１に供給する。また、シーン変化点検出部１０は、検出したシーン変化点の位置データを、字幕・文字スーパー検出部３１に供給する。
【００５６】
地上デジタルテレビ放送では、各シーンに関連する文字テキスト情報が、クローズドキャプションにより字幕・文字スーパーとして送られてくる。これは、例えば耳の不自由な人の便宜を図るため等の目的で用いられ、地上デジタルテレビ放送の受信装置では、ユーザにより字幕オンの設定操作がなされているときに、例えば図２のように字幕・文字スーパーが表示され、字幕オフとされているときには、当該字幕・文字スーパーは画面には表示されない。
【００５７】
字幕・文字スーパー検出部３１は、シーン変化点検出部１０から受け取った各シーン変化点の隣接するものとしてシーン（分節区間）を認識し、それぞれのシーンに関連する字幕・文字スーパーの情報を検出する。そして、字幕・文字スーパー検出部３１は、認識したシーンの開始点および終了点のシーン変化点の情報と、当該シーンに関連する字幕・文字スーパーの情報とをキーワード検出部３２に供給する。
【００５８】
キーワード検出部３２は、字幕・文字スーパー検出部３１から受け取った字幕・文字スーパーの情報（テキスト情報）について、形態素解析（Ｍｏｒｐｈｏｌｏｇｉｃａｌ  Ａｎａｌｙｓｉｓ）を行って、キーワードを検出する。
【００５９】
ここで、形態素解析とは、コンピュータ等の計算機を用いた自然言語処理の基礎技術の一つで、自然言語で書かれた文を形態素（Ｍｏｒｐｈｅｍｅ；大まかに言えば、言語で意味を持つ最小単位）の列に分割し、品詞（Ｐａｒｔ−ｏｆ−ｓｐｅｅｃｈ）を見分ける作業である。この例では、参照する情報源として、対象言語の文法の知識（ここでは文法のルールの集まりを用いる）と、辞書（品詞等の情報付きの単語リスト）とを用いて、形態素解析を行うようにしている。
【００６０】
例えば、画面に表示されたときに、図２に示すように、「（田中アナウンサー）国立公園までは車で４時間の道のりです。」とされる字幕・文字スーパーの情報の場合、キーワード検出部３２においては、形態素解析により、「田中」、「アナウンサー」、「国立公園」、「車」、「４時間」、「道のり」が、キーワードとして検出される。
【００６１】
そして、キーワード検出部３２は、検出したキーワードと、それらのキーワードが関連するシーンの開始点および終了点からなるシーン変化点の組とを記録処理部４に供給する。
【００６２】
記録処理部４は、関連する字幕・文字スーパーがないシーンに関しては、シーン変化点検出部１０からのシーンの開始点および終了点からなるシーン変化点の組を記録媒体４または外部記録媒体７に記録し、関連する字幕・文字スーパーが存在するシーンに関しては、シーンの開始点および終了点からなるシーン変化点の組と、キーワード検出部３２からの当該シーンに関連するキーワードとを対応付けて、記録媒体４または外部記録媒体７に記録するようにする。
【００６３】
これらのシーン変化点の組の情報およびキーワードは、前述したように、付加情報ファイルに含められて、記録信号識別情報により、映像および音声情報に対応付けられて記録されるものである。なお、記録信号エンコード処理部３は、字幕・文字スーパーの情報を、付加情報ではなく、映像データおよび音声データと共に、記録媒体５または７に記録する。再生時には、この記録された字幕・文字スーパーが、ユーザの指示に従って、再生画像に重畳表示される。
【００６４】
図３に、記録媒体４または外部記録媒体７に記録される付加情報ファイル中の、シーンの開始点および終了点からなるシーン変化点の組と、関連するキーワードとの対応データの部分の例を示す。
【００６５】
図３の例においては、記録された放送番組の先頭からのフィールド番号（またはフレーム番号）で示されるシーン変化点の隣接するものの組で特定される各シーン（分節区間）と、そのシーンに関連するキーワードとが対応して記録されるものとなっている。
【００６６】
なお、この実施形態では、受信部２でそのときに受信している放送番組を、録画ボタンを操作することにより記録開始し、停止ボタンを操作することにより記録終了するようにして記録するようにする通常記録モードのほか、ＥＰＧ取得部８で取得されたＥＰＧデータから、予め記録したい放送番組を予約して記録するようにする予約録画機能や、後述するように、ユーザが嗜好する放送番組を自動的の予約録画するようにするユーザ評価反映予約録画機能を備えている。ユーザ評価反映予約録画機能については後述する。
【００６７】
なお、シーンの開始点および終了点からなるシーン変化点の組と、関連するキーワードとの対応データは、付加情報ファイルに含めて記録するのではなく、記録信号エンコード処理部３内の多重化処理部に供給し、圧縮エンコード処理された映像データおよび音声データに多重化して、記録媒体５または外部記録媒体７の所定の記録領域に記録するようにしてもよい。
【００６８】
なお、特徴量検出部９およびシーン変化点検出部１０の処理は、システムコントローラ部２０のマイクロコンピュータによるソフトウエア処理とすることもできる。
【００６９】
＜再生系処理＞
次に、図１を参照しながら、この例の記録再生装置の再生系について説明する。先ず、始めに通常再生モードの動作について説明する。  
ユーザが、記録媒体５あるいは外部記録媒体７からの通常再生モードによる再生指示を、例えばリモートコマンダ２２を通じて入力すると、ユーザ入力インターフェース部２１を通じてシステムコントローラ部２０にそれが入力される。システムコントローラ部２０は、このユーザ入力を受けて、通常再生モードを行なうように読み出し制御部１１を制御する。
【００７０】
読み出し制御部１１は、システムコントローラ部２０からの指示が記録媒体５のときには、記録媒体５から再生指定された放送番組の圧縮映像データおよび圧縮音声データを読み出し再生処理部１２に供給する。また、読み出し制御部１１は、システムコントローラ部２０からの指示が外部記録媒体７のときには、外部記録媒体処理部６を通じて外部記録媒体７をアクセスし、この外部記録媒体７から再生指定された放送番組の圧縮映像データおよび圧縮音声データを読み出し、外部記録媒体処理部６を通じて再生処理部１２に供給する。
【００７１】
再生処理部１２は、記録媒体５または外部記録媒体７から読み出された、ユーザにより再生指定された放送番組の圧縮映像データおよび圧縮音声データを、再生デコード出力部１３に供給する。
【００７２】
再生デコード出力部１３では、再生された放送番組の映像データおよび音声データが、映像データと音声データとに分離される。分離された圧縮音声データは、記録時に帯域圧縮処理された信号処理方式に対応する所定のデコード処理がなされ、そのデコード処理されて得られたデジタル音声信号が、Ｄ／Ａ（Ｄｉｇｉｔａｌ  ｔｏ  Ａｎａｌｏｇ）変換処理され、これよりアナログ音声信号として、出力端子１４ａを通じて出力される。
【００７３】
また、再生デコード出力部１３では、分離された圧縮映像データは、記録時に帯域圧縮処理された信号処理方式に対応する所定のデコード処理がなされて、デジタル映像信号とされた後、Ｄ／Ａ変換処理が行なわれ、アナログ映像信号として出力端子１４ｖを通じて出力される。
【００７４】
また、読み出し制御部１１により記録媒体５から読み出された付加情報ファイルが、再生処理部１２から、付加情報ファイル処理部１５に供給される。そして、この付加情報ファイル処理部１５において、シーン変化点の情報および各シーンに関連するキーワードの情報が抽出され、システムコントローラ部２０に供給される。
【００７５】
この実施形態の記録再生装置のユーザインターフェース２１およびリモートコマンダ２２は、再生モードにおいてノーマル再生速度での再生中に、押下操作することにより、システムコントローラ部２０が、当該押下操作区間を早送り再生するように制御する早送り操作ボタンや、押下操作されると、システムコントローラ部２０が、その位置から一定時間分だけ先の再生位置まで、スキップあるいは高速再生をするように制御するスキップ再生指示操作ボタン、さらには、押下操作されると、システムコントローラ部２０がその位置から一定時間分だけ前の再生位置まで戻って、再度同じ部分を再度再生するようにする巻き戻し再生操作ボタンなどを備えている。
【００７６】
また、この例の記録再生装置は、再生モードとして、通常再生モードの他、後述するようなユーザ評価を反映した再生処理を実行するユーザ評価反映ダイジェスト再生モードを備えている。このため、この例の記録再生装置では、通常再生モードを指定する通常再生ボタンと、ユーザ評価反映ダイジェスト再生モードを指定するユーザ評価反映ダイジェスト再生ボタンとを備えている。あるいは、ユーザ評価反映ダイジェスト再生モードを指定する場合には、通常再生ボタンに加えて、ユーザ評価反映ダイジェスト再生を指定するボタンを操作するようにしてもよい。
【００７７】
そして、この実施形態の記録再生装置は、再生モード（通常再生モードおよびユーザ評価反映ダイジェスト再生モードのいずれの再生モードも含む）において、早送り再生操作ボタンやスキップ指示操作ボタンや巻き戻し再生ボタンの操作がされたとき、その再生ボタン操作に応じてそれぞれ早送り再生された区間、スキップ再生された区間および巻き戻し再生された区間についてユーザ評価値を生成付与するようにする。この処理は、ユーザ評価値生成部３３で行われる。この処理の詳細をさらに説明する。
【００７８】
ユーザ評価値生成部３３は、ノーマル速度再生中に、ユーザが前記早送り再生操作ボタンを操作したり、前記スキップ再生指示操作ボタンを操作したりした場合には、当該操作がなされた再生信号区間は、ユーザにとって再生を要しないユーザ評価が負の方向である区間と判定し、その区間に対応して負のユーザ評価値を付与して一時保持するようにする。
【００７９】
また、ユーザ評価値生成部３３は、この実施形態では、ノーマル速度再生のままとされた再生区間に対応する再生信号の区間は、ユーザ評価が正の方向であるとして、その区間に対応して、正のユーザ評価値（０を含むものとする）を付与して一時保持するようにする。さらに、巻き戻し再生ボタンが操作されて、同じ区間部分が再度再生された場合には、その区間に対応して、より大きな正のユーザ評価値を付与して一時保持するようにする。
【００８０】
なお、実際的には、再生中には、前記早送り再生操作ボタンやスキップ指示操作ボタンや巻き戻し再生ボタンの操作に応じてそれぞれ早送り再生された区間、スキップ再生された区間および巻き戻し再生された区間の情報（以下、区間再生状態情報という）を保持しておき、再生が終了したときに、保持していた区間再生状態情報に基づいて、早送り再生区間やスキップ再生区間や巻き戻し再生区間のそれぞれに対応するユーザ評価値を生成するようにする。
【００８１】
そして、この実施形態では、早送り再生された区間、スキップ再生された区間および巻き戻し再生された区間の区間再生状態情報は、シーン変化点の組で表現されるシーン（分節区間）単位に反映され、それぞれのシーンに付与されるユーザ評価値が決定される。
【００８２】
すなわち、この実施形態では、記録媒体５または７に記録されている付加情報ファイルには、記録情報のシーン変化点の情報が記録されており、隣接する２個のシーン変化点の組により１つのシーン（分節区間）が特定される。
【００８３】
そこで、この実施形態では、付加情報ファイル処理部１５を通じて記録媒体５または外部記録媒体７に記録されている付加情報ファイルを取得し、前記隣接する２個のシーン変化点で特定されるシーンのそれぞれが、いずれの再生操作ボタンによる再生状態の区間（何も操作されずにノーマル再生される状態の区間も含む）に含まれているかを判定し、それぞれのシーンに対してユーザ評価値が付与される。
【００８４】
例えば、早送り再生操作ボタンに基づく早送り再生区間やスキップ指示操作ボタンに基づくスキップ再生区間内のシーンであれば、当該シーンに対しては負のユーザ評価値を付与し、ノーマル再生が実行されたシーン、また、巻き戻し再生ボタンに基づく巻き戻し再生区間内のシーンであれば、当該シーンに対しては正のユーザ評価値を記録するようにする。
【００８５】
この場合、早送り再生操作ボタンやスキップ指示操作ボタンや巻き戻し再生ボタンのボタン操作開始点とボタン操作終了点とが、丁度、シーン変化点と一致している場合は、シーンに対していずれの評価をするかの問題は生じないが、早送り再生操作ボタンやスキップ指示操作ボタンや巻き戻し再生ボタンのボタン操作開始点やボタン操作終了点が、シーン変化点と一致していない場合には、当該操作開始点や操作終了点を含むシーンに対して、どのようなユーザ評価をするかが問題となる。
【００８６】
すなわち、早送り再生操作ボタンやスキップ指示操作ボタンや巻き戻し再生ボタンのボタン操作開始点が、シーン変化点と一致していない場合には、当該操作開始点が含まれるシーンに対しては対応する負や正の方向のユーザ評価値を割り当てる場合と、当該操作開始点が含まれるシーン部分には、対応する負や正の方向のユーザ評価値を割り当て、その次のシーン変化点から始まるシーンから負の方向のユーザ評価値を割り当てる場合の２通りがあり、いずれを用いても良い。しかし、ユーザが評価をする際に当該シーンを視聴してからボタン操作することを考えると、操作開始点では、ユーザは負の方向の評価をしていると考えられ、当該操作開始点が含まれるシーンに対しては負の方向のユーザ評価値を割り当てる方が自然である。
【００８７】
同様に、早送り再生操作ボタンやスキップ指示操作ボタンや巻き戻し再生ボタンの操作終了点が、シーン変化点と一致していない場合には、当該操作終了点が含まれるシーンに対して負の方向のユーザ評価値を割り当てる場合と、当該操作終了点が含まれるシーンに対して正の方向のユーザ評価値を割り当てる場合の２通りがあり、いずれを用いても良い。しかし、この場合も、ユーザは、評価をする際に当該シーンを視聴してからボタン操作することを考えると、操作終了点では、ユーザは正の方向の評価をしていると考えられ、当該操作終了点が含まれるシーンに対しては正の方向のユーザ評価値を割り当てる方が自然である。
【００８８】
図４に、ノーマル再生、早送り再生、スキップ再生、巻き戻し再生の各種再生態様に対して割り付けられたユーザ評価値の例を示す。すなわち、図４の例においては、ノーマル再生されたシーンのユーザ評価値は「０」、早送り再生されたシーンのユーザ評価値は「−５」、スキップ再生されたシーンのユーザ評価値は「−１０」、巻き戻し再生されたシーンのユーザ評価値は「＋１０」が、それぞれ割り付けられている。この図４の割付データは、ユーザ評価値生成部３３に保持されている。
【００８９】
ユーザ評価値生成部３３において、記録媒体に放送番組を記録した後、最初の再生が行なわれる前には、この実施形態では、各シーンに対して例えばユーザ評価値は「０」が記録される。
【００９０】
そして、再生が行なわれると、前述したように、早送り再生された区間、スキップ再生された区間、巻き戻し再生された区間、ノーマル再生された区間についての区間再生態様情報が保持される。
【００９１】
再生が終了すると、システムコントローラ２０は、記録媒体５または外部記録媒体７に記録されている付加情報ファイルを読み出し、付加情報ファイル処理部１５を通じて取得し、ユーザ評価値生成部３３に転送する。ユーザ評価値生成部３３は、付加情報ファイルに記録されているシーンのそれぞれが、早送り再生された区間、スキップ再生された区間、巻き戻し再生された区間、ノーマル再生された区間のうちのいずれの再生区間に属するかを、保持された区間再生状態情報から判定し、それぞれのシーンについてユーザ評価値を付与する。
【００９２】
なお、再生が終了した後に付加情報ファイルを読み出して、各シーンについてのユーザ評価値を付与するのではなく、再生に先立ち、付加情報ファイルを読み出しておき、再生しながら、区間再生状態情報から各シーンについてユーザ評価値を付与するようにしてもよい。
【００９３】
付加情報ファイルのシーンとキーワード群とが図３に示したようにものとなっている各シーン（分節区間）に付与されたユーザ評価値の例を図５に示す。この図５から分かるように、各シーンに付与されたユーザ評価値は、当該シーンに関連するキーワードについてのユーザ評価値として考えることもできる。
【００９４】
次に、システムコントローラ部２０は、ユーザ評価値累積蓄積部３４に指示して、各々のキーワードごとに、ユーザ評価値を累積する。したがって、ユーザ評価値累積蓄積部３４には、当該再生において得られたキーワードについてのユーザ評価値のみではなく、過去に行われた再生のすべての機会において、各キーワードについてのユーザ評価値の累積が行われ、当該累積された各キーワードについてのユーザ評価値が蓄積されてゆくことになる。
【００９５】
なお、ユーザ評価値累積蓄積部３４にそれまで存在しなかったキーワードが現れたときには、その都度、当該新キーワードがユーザ評価値累積蓄積部３４に追加され、対応してユーザ評価値が記録される。
【００９６】
この結果、ユーザ評価値累積蓄積部３４に記録されているキーワードのうち、ユーザ評価値が正方向に大きいものは、ユーザが気に入っているシーンに関連するキーワードであると考えることができる。
【００９７】
そこで、この実施形態では、ユーザ評価値累積蓄積部３４へのキーワードについてのユーザ評価値の累積蓄積処理が終了すると、システムコントローラ部２０は、キーワードランキング生成部３５にユーザ評価値累積蓄積部３４の蓄積情報を送ると共に、処理開始指示を送る。
【００９８】
キーワードランキング生成部３５は、この実施形態では、キーワードを、図６に示すように、ユーザ評価値の大きい順に順位をつけて並べる処理を行う。ここで、このキーワードのランキング順位は、ユーザが嗜好するシーンおよび当該シーンを含む番組に対応するキーワードの順位である。
【００９９】
よって、このランキング順位の高いキーワードを用いることにより、ユーザが嗜好するシーンやそのシーンを含む番組を検索して、抽出して再生することができる。この実施形態で提供するユーザ評価反映ダイジェスト再生モードは、ユーザが嗜好するシーンやそのシーンを含む番組のみを抽出して再生するモードである。
【０１００】
また、例えば、ランキング順位の高いキーワードをＥＰＧデータ中の番組説明文字情報などに含む番組を検索して、それを予約して記録するようにすることもできる。この実施形態で提供するユーザ評価反映予約録画モードは、その一例である。
【０１０１】
なお、ユーザ評価値生成部３３、ユーザ評価値累積蓄積処理部３４およびキーワードランキング生成部３５は、データを記憶するメモリ部を除き、システムコントローラ部２０のＣＰＵがソフトウエア処理として実行するように構成することもできる。
【０１０２】
次に、再生モード時の処理動作について、説明する。ユーザは、リモートコマンダ２２を用いて、あるいは、記録再生装置の操作ボタンを通じて、いずれかの再生モードの開始指示のコマンド入力をする。すると、その操作情報が、ユーザインターフェース部２１を通じてシステムコントローラ部２０に供給され、このシステムコントローラ部２０による制御の下で、記録再生装置は、上述したような再生処理を行なう。
【０１０３】
そして、通常再生モードにおいては、前述したように、ノーマル速度再生をした区間、早送り再生した区間、スキップ再生した区間、巻き戻し再生した区間の情報を保持する。そして、再生終了後、前述したように、再生された番組についての付加情報ファイルを取得して、各シーンについてのユーザ評価値生成処理、各キーワードについてのユーザ評価値累積蓄積処理、ユーザ評価値に基づくキーワードのランキング付与処理などを行う。
【０１０４】
なお、各シーンについてのユーザ評価値生成処理は、再生中に平行して行うこともできる。その場合には、再生に先立ち、付加情報ファイルを、付加情報ファイル処理部１５を通じて取得しておく。
【０１０５】
そして、通常再生モードにおいて、再生中に、ノーマル速度再生をしている区間においては、その区間に含まれるシーンを、付加情報ファイル処理部１５から得た付加情報ファイルから探し、そのシーンのユーザ評価値に「０」を付与し、当該シーンを特定する隣接する対のシーン変化点の情報に対応して保持するようにする。
【０１０６】
また、ユーザにより上述したような早送り再生操作がなされたときには、システムコントローラ部２０は、その操作入力をユーザ入力インターフェース部２１を通じて検出し、当該早送り再生指示された区間に含まれるシーンを、付加情報ファイル処理部１５から得た付加情報ファイルから探し、そのシーンついてのユーザ評価値として「−５」を付与し、当該シーンを特定する隣接する対のシーン変化点の情報に対応して保持するようにする。
【０１０７】
また、ユーザにより上述したようなスキップ再生操作がなされたときには、システムコントローラ部２０は、その操作入力をユーザ入力インターフェース部２１を通じて検出し、当該スキップ再生指示された区間に含まれるシーンを、付加情報ファイル処理部１５から得た付加情報ファイルから探し、そのシーンについてのユーザ評価値として「−１０」を付与し、当該シーンを特定する隣接する対のシーン変化点の情報に対応して保持するようにする。
【０１０８】
また、ユーザにより上述したような巻き戻し再生操作がなされたときには、システムコントローラ部２０は、その操作入力をユーザ入力インターフェース部２１を通じて検出し、当該巻き戻し再生指示された区間に含まれるシーンを、付加情報ファイル処理部１５から得た付加情報ファイルから探し、そのシーンについてのユーザ評価値として「＋１０」を付与し、当該シーンを特定する隣接する対のシーン変化点の情報に対応して保持するようにする。
【０１０９】
なお、通常再生モードがユーザにより指示されたときに、記録媒体５または記録媒体７に記録された放送番組のデータに、付加情報ファイルが対応して記録されていないときには、この実施形態の記録再生装置は、ユーザに「必要な付加情報ファイルがないので、生成しますか？」という問合せをする。
【０１１０】
そして、この問合せに対して、ユーザが「ＹＥＳ（付加情報ファイルを生成する）」と返答操作したときには、記録再生装置のシステムコントローラ部２０は、再生モードの実行に先立ち、記録された放送番組の記録データを読み出して、再生処理部１２および再生デコード部１３を通じて特徴量検出部９に供給し、特徴量検出、およびシーン変化点検出部１０でのシーン変化点検出を実行するように制御する。そして、前述の図３に示したような、検出されたシーン変化点の情報と各シーンに関連するキーワードとを含む付加情報ファイルを、再生対象の放送番組の記録データに対応付けて、記録媒体５または外部記録媒体７に記録するようにする。
【０１１１】
これにより、例えば、外部記録媒体７が、この実施形態の記録再生装置によって記録されたものではなく、付加情報ファイルが記録されていなくても、この実施形態の記録再生装置におけるユーザ評価反映ダイジェスト再生モードやユーザ評価反映予約録画モードを行なうための資料となるキーワードのユーザ評価値に反映させることができるようになる。また、付加情報ファイルが記録されていない外部記録媒体７から記録媒体５に複製記録された放送番組の記録データについても同様である。
【０１１２】
＜ユーザ評価反映ダイジェスト再生モード＞
このユーザ評価反映ダイジェスト再生モードにおいては、システムコントローラ部２０は、キーワードランキング生成部３５で生成されたキーワードのランキング順位の上位のキーワードを取得すると共に、付加情報ファイルのシーン変化点の組の情報および関連するキーワードの情報を先読みして取得する。
【０１１３】
そして、取得したランキング上位のキーワードを検索子として、付加情報ファイルから取得したキーワードを検索して、同じキーワードを含むシーン変化点の組、つまり、シーン（分節区間）を検出する。そして、検出したシーンのみを抽出して、そのシーンのみを再生（ダイジェスト再生）する。
【０１１４】
すなわち、この実施形態では、ランキング上位のキーワードを検索子として、付加情報ファイルから取得したキーワードを検索して、同じキーワードを含むシーン変化点の組、つまり、シーン（分節区間）をユーザに推薦して再生して提示するようにする。
【０１１５】
このとき、検索子とするキーワードは、ランキングの最上位（第１位）のみを用いるようにしても良いし、ランキングの第何位までを検索子として用いるかをユーザが指定できるようにしても良い。
【０１１６】
なお、このユーザ評価反映ダイジェスト再生モードにおいても、抽出されたシーンについても早送り再生されたり、スキップ再生されたりした場合、また、巻き戻し再生されたりした場合には、そのシーンについては、対応するユーザ評価値を付与し、その付与したユーザ評価値を、ユーザ評価値累積蓄積部３４において、当該キーワードについての累積ユーザ評価値として累積し、蓄積するようにする。
【０１１７】
なお、このユーザ評価反映ダイジェスト再生モードがユーザにより指示されたときに、記録媒体５または記録媒体７に記録された放送番組のデータに、付加情報ファイルが対応して記録されていないときには、記録再生装置は、ユーザに「必要な付加情報ファイルがないので、ユーザ評価反映再生モードはできません」というメッセージを出して、注意を喚起するようにする。
【０１１８】
＜ユーザ評価反映予約録画モード＞
このユーザ評価反映予約録画モードが設定されると、システムコントローラ部２０は、キーワードランキング生成部３５で生成されたキーワードのランキング順位の上位のキーワードを取得すると共に、ＥＰＧ取得部８からのＥＰＧデータを取得する。
【０１１９】
そして、取得したランキング上位のキーワードを検索子として、ＥＰＧデータの各放送番組の説明文字テキストを検索し、同じキーワードを含む放送番組を検出する。そして、検出した放送番組を、ＥＰＧデータに基づいて予約録画設定をして、予約録画を実行するようにする。
【０１２０】
すなわち、この実施形態では、ランキング上位のキーワードを検索子として、ＥＰＧデータの各放送番組の説明文字テキストを検索し、同じキーワードを含む放送番組を検出し、検出した放送番組を、予約録画する番組としてユーザに推薦して提示するようにするものである。
【０１２１】
［実施形態の記録再生装置における主要な動作処理の説明］
次に、上述のように構成された実施形態の記録再生装置における主要な動作処理を、図７〜図１３のフローチャートを参照しながら説明する。以下に説明するフローチャートの各ステップの処理は、主としてシステムコントローラ部２０を構成するマイクロコンピュータが実行するものである。
【０１２２】
すなわち、図７に示すように、システムコントローラ部２０は、ユーザ入力インターフェース部２１の出力を監視することにより、ユーザ操作入力があるか否か監視する（ステップＳ１）。そして、ユーザ操作入力があったと判別したときには、システムコントローラ部２０は、当該ユーザ操作入力は、記録開始操作であるか否か判別し（ステップＳ２）、記録開始操作であると判別したときには、記録処理ルーチンと、特徴量検出およびシーン変化点検出ルーチンと、クローズドキャプションの字幕・文字スーパーの情報の検出およびキーワード検出処理を、並行して実行する（ステップＳ３）。
【０１２３】
そして、システムコントローラ部２０は、記録停止のユーザ操作があったか否か監視し（ステップＳ４）、記録停止のユーザ操作を検知しないときには、ステップＳ３に戻って、記録処理ルーチンと、特徴量検出およびシーン変化点検出ルーチンとの並行実行を継続し、記録停止のユーザ操作がなされたと判別したときには、記録後処理を実行（ステップＳ５）した後、ステップＳ１に戻る。
【０１２４】
ステップＳ５の記録後処理においては、システムコントローラ部２０は、シーン変化点検出部１０で検出されたシーン変化点のデータ（シーン変化点の組）と、キーワード検出部３２で検出されたキーワードとを、互いに関連つけたデータを含めた付加情報ファイルを、記録した放送番組の記録データに対応付けて記録媒体に記録する。この場合、付加情報ファイルと、記録した放送番組の記録データとの対応付けは、記録した放送番組の識別情報により行なわれる。
【０１２５】
なお、記録処理と並行してリアルタイムでなされたシーン変化点検出の検出結果、そのものを付加情報ファイルに含めて記録するのではなく、記録後処理において、シーン変化点検出部１０で、記録処理と並行してなされたシーン変化点検出の検出結果にさらに検討を加えて、より確からしいシーン変化点を検出し、当該より確からしいシーン変化点を付加情報ファイルに含めて記録するようにしてもよい。
【０１２６】
ステップＳ３で実行される、記録処理と特徴量検出およびシーン変化点検出処理との並行処理ルーチンを、図８のフローチャートを参照して説明する。
【０１２７】
先ず、システムコントローラ部２０は、記録しようとするデータを取り込む（ステップＳ１１）。すなわち、システムコントローラ部２０は、記録しようとするデータが受信部２からの放送番組の情報（映像情報および音声情報）であるときには、受信部２で選択受信した放送番組の情報を記録信号エンコード処理部３に供給するように指示する。
【０１２８】
次に、システムコントローラ部２０は、記録信号エンコード処理部３に、放送番組の情報を記録エンコード処理するように指示し（ステップＳ１２）、記録処理部４を制御して、ユーザにより選択指定された記録媒体５または外部記録媒体７の一方に、その記録エンコード処理された放送番組の映像情報および音声情報を記録する（ステップＳ１３）。
【０１２９】
そして、システムコントローラ部２０は、ユーザにより記録終了指示がなされたか否か判別し（ステップＳ１４）、記録終了指示がなされてはいないと判別したときには、ステップＳ１１に戻って、記録処理を継続する。
【０１３０】
ステップＳ１１〜Ｓ１４は、記録処理ルーチンを構成するもので、この記録処理ルーチンと並行して特徴量検出およびシーン変化点検出処理ルーチンがなされる。すなわち、システムコントローラ部２０は、ステップＳ１１で取り込まれた記録すべきデータを、特徴量検出部９にも供給するように指示すると共に、特徴量検出部９に特徴量検出処理の実行を指示する（ステップＳ１５）。なお、前述したように、この例では、記録信号エンコード処理部３からの圧縮途中のデータが特徴量検出部９に供給される。
【０１３１】
特徴量検出部９は、この実行指示を受けて、前述した種々の特徴量の検出を実行し、その処理結果をシーン変化点検出部１０に供給する。シーン変化点検出部１０は、システムコントローラ部２０の実行指示を受けて、上述したシーン変化点の検出処理を実行する（ステップＳ１６）。そして、システムコントローラ部２０は、特徴量検出部９で検出された特徴量データと、シーン変化点検出部１０で検出されたシーン変化点のデータとを、内蔵するバッファメモリなどに記憶保持しておく（ステップＳ１７）。ここで、特徴量検出部９で検出された特徴量データをも記憶保持しておくのは、より確からしいシーン変化点を、再生成する際に用いるためである。
【０１３２】
そして、システムコントローラ部２０は、ユーザにより記録終了指示がなされたか否か判別し（ステップＳ１８）、記録終了指示がなされてはいないと判別したときには、ステップＳ１５に戻って、特徴量検出およびシーン変化点検出の処理を継続する。
【０１３３】
なお、ステップＳ１４の判別処理とステップＳ１８の判別処理は、実際には、別々の判別処理ではなく、同一の判別処理であるが、ここでは、２つの処理ルーチンを並列に記述したため、便宜上、図８のように、２つの判別ステップに分離して記載している。
【０１３４】
そして、システムコントローラ部２０は、ステップＳ１４、ステップＳ１８で、ユーザにより記録終了指示がなされたと判別したときには、シーン変化点検出部１０に指示して、バッファメモリに保持している特徴量データとシーン変化点データを用いて、記録媒体５または記録媒体７に、放送番組の記録データと共に記録する、より確からしいシーン変化点の情報を生成させるようにする（ステップＳ１９）。
【０１３５】
そして、システムコントローラ部２０は、記録処理部４に対し、図３に示したように、ステップＳ１９で生成されたシーン変化点の情報と、隣接する２個のシーン変化点で特定される各シーンに関連するキーワードとを含めた付加情報ファイルを、前記記録データに対応付けた状態で、放送番組の記録データを記録した記録媒体に記録するように制御する（ステップＳ２０）。なお、シーン変化点の対で特定されるシーンに関連するキーワードの検出処理は、キーワード検出部３２で別途行われるものである。
【０１３６】
このキーワードの検出処理を図９のフローチャートを参照して説明する。
【０１３７】
すなわち、まず、システムコントローラ部２０の制御指示に基づき、字幕・文字スーパー検出部３２は、クローズドキャプションデータを検出し、字幕・文字スーパーのテキストデータを抽出する（ステップＳ３１）。
【０１３８】
字幕・文字スーパー検出部３２は、抽出した字幕・文字スーパーのテキストデータをキーワード検出部３２に供給する。キーワード検出部３２は、取得した字幕・文字スーパーのテキストデータについて、前述した形態素解析処理をして、キーワードを検出する（ステップＳ３２）。
【０１３９】
そして、検出したキーワードを、放送側からの指定情報である字幕・文字スーパーの挿入指示区間の情報に対応して保持する（ステップＳ３３）。なお、キーワード検出部３２は、シーン変化点検出部１０からのシーン変化点の情報を、字幕・文字スーパー検出部３１を通じて取得するので、挿入指定区間は、シーン変化点の対からなるシーン区間に変換して保持しておく。
【０１４０】
次に、システムコントローラ部２０は、ユーザにより記録終了操作がなされたか否かを判別し（ステップＳ３４）、記録終了ではないと判別したときには、ステップＳ３１に戻って、上述したキーワード検出処理を繰り返す。
【０１４１】
また、ステップＳ３４で、記録終了したと判別したときには、キーワード検出部３２は、シーン変化点検出部１０によりステップＳ１９で生成されたシーン変化点の情報を取得し、取得したシーン変化点の対と、キーワードとを関連つける処理をする。このシーン変化点の対と、それぞれに関連するキーワードの情報は、前述したように、ステップＳ２０において、記録媒体に記録される（ステップＳ３５）。
【０１４２】
次に、図７のステップＳ２で、操作入力は、記録開始操作ではないと判別したときには、システムコントローラ部２０は、操作入力は、ユーザ評価反映ダイジェスト再生開始指示操作であるか否か判別する（図１０のステップＳ４１）。このステップＳ４１で、操作入力は、ユーザ評価反映ダイジェスト再生開始指示操作ではないと判別したときには、システムコントローラ部２０は、操作入力は、通常再生開始指示操作であるか否か判別し（ステップＳ４２）、そうではないと判別したときには、その操作入力に応じたその他の処理を実行する（ステップＳ４３）。そして、その処理後、ステップＳ１に戻り、このステップＳ１以降の処理を繰り返す。
【０１４３】
そして、ステップＳ４２で、操作入力は、通常再生開始指示操作であると判別したときには、システムコントローラ部２０は、操作入力により指定された再生対象の記録媒体５または７から、指定された放送番組の記録データと、その付加情報ファイル（シーン変化点の情報および各シーンに関連するキーワードの情報を含む）とを読み出し、ノーマル速度再生を開始する（ステップＳ４４）。
【０１４４】
システムコントローラ部２０は、このノーマル速度での再生中は、早送り再生開始操作がなされたか否か監視し（ステップＳ４５）、早送り再生開始操作がなされたと判別したときには、読み出し制御部１１、再生処理部１２、再生デコード処理部１３などを制御して、その時点から早送り再生を実行する（ステップＳ４６）。そして、次に、システムコントローラ部２０は、早送り再生終了操作を監視し（ステップＳ４７）、早送り再生終了操作がなされたことを判別するまで、ステップＳ４６の早送り再生の実行を継続する。
【０１４５】
そして、ステップＳ４７で、早送り再生終了操作がなされたと判別すると、システムコントローラ部２０は、読み出し制御部１１、再生処理部１２、再生デコード処理部１３などを制御して、その時点からノーマル速度再生に戻す（ステップＳ４８）。
【０１４６】
そして、システムコントローラ部２０は、この例では、記録媒体から読み出された付加情報ファイルから早送り再生されたシーンのシーン変化点の情報およびキーワードの情報を取得して、ユーザ評価値生成部３３にそれらの情報を渡すと共に、ユーザ評価値生成部３３に、早送り再生された各シーンについてのユーザ評価値の生成および保持処理を指示する（ステップＳ４９）。
【０１４７】
この指示を受けたユーザ評価値生成部３３では、例えば前述した図２の例のように、早送り再生に割り当てられたユーザ評価値を、早送り再生されたシーンのユーザ評価値を生成し、生成したユーザ評価値を早送り再生されたシーンのシーン変化点に対応して、例えば内蔵するバッファメモリに保持する。
【０１４８】
その後、システムコントローラ部２０は、ユーザ操作入力として再生終了指示操作があったか否か判別し（図１１のステップＳ６４）、再生終了指示操作がないと判別したときには、図１０のステップＳ４５に戻る。
【０１４９】
図１０のステップＳ４５で、早送り再生開始操作はなされていないと判別したときには、システムコントローラ部２０は、ユーザによりスキップ再生指示操作がなされたか否か判別する（図１１のステップＳ６１）。
【０１５０】
このステップＳ６１で、スキップ再生指示操作がなされたと判別したときには、システムコントローラ部２０は、指示された再生位置から所定時間分後の再生位置、例えば１５秒後の再生位置までをスキップしてノーマル速度再生を行なう（ステップＳ６２）。
【０１５１】
そして、システムコントローラ部２０は、記録媒体から読み出された付加情報ファイルからスキップ再生されたシーンのシーン変化点の情報およびキーワードの情報を取得して、ユーザ評価値生成部３３にそれらの情報を渡すと共に、ユーザ評価値生成部３３に、スキップ再生された各シーンについてのユーザ評価値の生成および保持処理を指示する（ステップＳ６３）。
【０１５２】
この指示を受けたユーザ評価値生成部３３では、例えば前述した図２の例のように、スキップ再生に割り当てられたユーザ評価値を、スキップ再生されたシーンのユーザ評価値を生成し、生成したユーザ評価値をスキップ再生されたシーンのシーン変化点に対応して、例えば内蔵するバッファメモリに保持する。
【０１５３】
その後、システムコントローラ部２０は、ユーザ操作入力として再生終了指示操作があったか否か判別し（ステップＳ６４）、再生終了指示操作がないと判別したときには、図１０のステップＳ４５に戻る。
【０１５４】
また、ステップＳ６１で、スキップ再生指示操作もなされていないと判別したときには、システムコントローラ部２０では、ユーザにより巻き戻し再生指示操作がなされたか否か判別する（ステップＳ６８）。
【０１５５】
このステップＳ６８で、巻き戻し再生指示操作がなされたと判別したときには、システムコントローラ部２０は、指示された再生位置から所定時間分前の再生位置、例えば１５秒後の再生位置まで巻き戻して再度同じ区間をノーマル速度再生を行なう（ステップＳ６９）。
【０１５６】
そして、システムコントローラ部２０は、記録媒体から読み出された付加情報ファイルから巻き戻し再生されたシーンのシーン変化点の情報およびキーワードの情報を取得して、ユーザ評価値生成部３３にそれらの情報を渡すと共に、ユーザ評価値生成部３３に、巻き戻し再生された各シーンについてのユーザ評価値の生成および保持処理を指示する（ステップＳ７０）。
【０１５７】
この指示を受けたユーザ評価値生成部３３では、例えば前述した図２の例のように、巻き戻し再生に割り当てられたユーザ評価値を、スキップ再生されたシーンのユーザ評価値を生成し、生成したユーザ評価値を巻き戻し再生されたシーンのシーン変化点に対応して、例えば内蔵するバッファメモリに保持する。
【０１５８】
また、ステップＳ６８で巻き戻し再生指示操作がなされていないと判別したときには、当該区間は、ノーマル再生されたと判断して、記録媒体から読み出された付加情報ファイルからノーマル再生されたシーンのシーン変化点の情報およびキーワードの情報を取得して、ユーザ評価値生成部３３にそれらの情報を渡すと共に、ユーザ評価値生成部３３に、ノーマル再生された各シーンについてのユーザ評価値の生成および保持処理を指示する（ステップＳ７１）。
【０１５９】
この指示を受けたユーザ評価値生成部３３では、例えば前述した図２の例のように、ノーマル再生に割り当てられたユーザ評価値を、スキップ再生されたシーンのユーザ評価値を生成し、生成したユーザ評価値をノーマル再生されたシーンのシーン変化点に対応して、例えば内蔵するバッファメモリに保持する。
【０１６０】
なお、この例では、ノーマル再生に対しては、ユーザ評価値は「０」としているので、ステップＳ７１は設けずに、ステップＳ６８で巻き戻し再生指示操作がなされていないと判別したときには、このステップＳ６８からステップＳ６４に飛ぶようにしても良い。
【０１６１】
ステップＳ６９またはステップＳ７１の後、システムコントローラ部２０は、ユーザ操作入力として再生終了指示操作があったか否か判別し（ステップＳ６４）、再生終了指示操作がないと判別したときには、図１０のステップＳ４５に戻る。
【０１６２】
そして、ステップＳ６４で、再生終了指示操作があったと判別したときには、システムコントローラ部２０は、再生を終了させる処理（ステップＳ６５）をした後、ステップＳ４９、ステップＳ６３、ステップＳ６９およびステップＳ７０でバッファメモリに保持していた、それぞれの再生態様で再生されたシーンのシーン変化点の対（シーン）と、生成した更新されたユーザ評価値とを用いて、各シーンのキーワードについてのユーザ評価値を更新し、当該更新したキーワードのユーザ評価値を、キーワードランキング生成部３５に供給するようにする（ステップＳ６６）。
【０１６３】
キーワードランキング生成部３５は、取得した更新されたキーワードのユーザ評価値のデータを用いて、ユーザ評価値についてのランキング更新処理をする（ステップＳ６７）。
【０１６４】
そして、図７のステップＳ１に戻り、このステップＳ１以降の処理を繰り返す。
【０１６５】
以上のようにして、この実施形態によれば、再生をするごとに、記録された放送番組の情報の各シーンについてユーザ評価値が付与され、当該シーンに関連するキーワードのユーザ評価値として累積蓄積されるものである。
【０１６６】
＜ユーザ評価反映ダイジェスト再生モードの処理動作＞
図１０のステップＳ４１で、ユーザ評価反映ダイジェスト再生開始指示がなされたと判別したときには、システムコントローラ部２０は、記録媒体５または７から放送番組の記録データと付加情報ファイルとを読み出すと共に、付加情報ファイルの各シーンに関連するキーワードのデータと、キーワードランキング生成部３５で生成されたキーワードのランキングの上位のキーワードとに基づいて再生制御を行なうユーザ評価反映ダイジェスト再生処理を行なう（ステップＳ５０）。
【０１６７】
図１２に、このユーザ評価反映ダイジェスト再生処理の一例のフローチャートを示す。このユーザ評価反映ダイジェスト再生処理においては、システムコントローラ部２０は、記録媒体から付加情報ファイルのシーン変化点の情報および各シーンについてのユーザ評価値を先読みして、当該先読みしたユーザ評価値に応じた再生をするように、読み出し制御部１１、再生処理部１２、再生デコード出力部１３を制御するようにする。
【０１６８】
すなわち、システムコントローラ部２０は、先ず、ユーザに対して、ランキングの第何位までのキーワードを用いてダイジェスト再生するかを問い合わせるメッセージを表示部２４に表示して、その問い合わせの表示に対応してユーザにより入力されるランキングの第何位までのキーワードを用いるかの検索子の設定を受け付ける（ステップＳ８１）。
【０１６９】
次に、システムコントローラ部２０は、記録媒体５または７から再生対象の放送番組の記録データに対応する付加情報ファイルを読み出して付加情報ファイル処理部１５に一時保持する。そして、最初のシーン変化点の区間および当該区間に対応するシーンのキーワードを読み出す（ステップＳ８２）。
【０１７０】
そして、システムコントローラ部２０は、この例においては、読み出したキーワードが、検索子のキーワードを含むか否か判別し（ステップＳ８３）、検索子のキーワードを含むと判別したときには、当該シーンは抽出して再生（ダイジェスト再生）すると決定して、ダイジェスト再生リストに載せる（ステップＳ８４）。
【０１７１】
そして、付加情報ファイルの最後のシーンまで上述のキーワード検索処理を終了したか否か判別し（ステップＳ８５）、最後のシーンまで上述のキーワード検索処理を終了してはいないと判別したときには、付加情報ファイルから次のシーンのキーワードを読み出して（ステップＳ８６）、ステップＳ８３に戻り、上述のキーワードの検索処理を繰り返す。
【０１７２】
また、ステップＳ８３で、読み出したキーワードが、検索子のキーワードを含まないと判別したときには、システムコントローラ部２０は、当該シーンはダイジェスト再生しないとしてダイジェスト再生リストに載せる処理はすることなくステップＳ８５に進み、上述したステップＳ８５以降の処理を繰り返す。
【０１７３】
ステップＳ８５で、最後のシーンまで上述のキーワード検索処理を終了したと判別したときには、システムコントローラ部２０は、ダイジェスト再生リストに従って、当該リストに載っているシーンの記録データのみを記録媒体５または７から読み出して、順次に再生をするダイジェスト再生を実行する（ステップＳ８７）。
【０１７４】
そして、ダイジェスト再生が終了したか否か判別し（ステップＳ８８）、終了していないと判別したときには、ステップＳ８７に戻ってダイジェスト再生を繰り返し、再生が終了したと判別したときには、この処理ルーチンを終了する。
【０１７５】
以上のように、この実施形態においては、記録された放送番組を、再生して視聴したとき、再生時における早送り再生指示操作やスキップ再生指示操作などのユーザ操作があった区間（シーン）に対しては、再生視聴に対してユーザ評価値を割り当てることにより、記録された放送番組の情報の各シーン（分節区間）に対応してユーザ評価値を記録するようにする。
【０１７６】
そして、各シーンに関連して記録したキーワードに、当該シーンに付与されたユーザ評価値を累積蓄積するようにする。したがって、キーワードのユーザ評価値が高いものは、ユーザが嗜好しているシーンに関連するキーワードとなり、このキーワードを用いてダイジェスト再生を行うことにより、ユーザは、自分が嗜好しているシーンのみを再生して視聴することができる。
【０１７７】
また、この実施形態においては、シーン変化点が検出されて付加情報ファイルに記録されている。このシーン変化点に対応して、当該シーン変化点のフレームのサムネイル画像を生成してユーザに提示し、各隣接するシーン変化点で特定されるシーンの内容を、ユーザに報知するようにすることができる。
【０１７８】
したがって、ユーザは、このサムネイル画像を見ながら、ユーザ評価反映ダイジェスト再生モードにおいて、ダイジェスト再生リストに載せられたシーンの内容を確認することができる。そして、ユーザは、その内容確認の結果をダイジェスト再生リストに反映させ、視聴を要しないシーンを削除したりすることができる。
【０１７９】
このダイジェスト再生モードにおけるシーン削除指示も、ユーザ操作であるので、その削除されたシーンに関連するキーワードは負のユーザ評価値を割り当てて、キーワードのユーザ評価値の更新をするようにしてもよい。
【０１８０】
＜ユーザ評価反映予約録画モード＞
次に、キーワードのユーザ評価値の用いたユーザ評価反映予約録画モードの処理について図１３のフローチャートを用いて説明する。
【０１８１】
システムコントローラ部２０は、先ず、ユーザに対して、ランキングの第何位までのキーワードを用いてユーザ評価反映予約録画をするかを問い合わせるメッセージを表示部２４に表示して、その問い合わせの表示に対応してユーザにより入力されるランキングの第何位までのキーワードを用いるかの検索子の設定を受け付ける（ステップＳ９１）。
【０１８２】
次に、システムコントローラ部２０は、ＥＰＧ取得部８からの放送番組のＥＰＧデータを取得し、ステップＳ９１で受け付けたランキング上位のキーワードを検索子として、ＥＰＧデータの各放送番組の説明文字テキストを検索し（ステップＳ９２）、当該放送番組が、検索子のキーワードと同じキーワードを含むか否か判別する（ステップＳ９３）。
【０１８３】
そして、システムコントローラ部２０は、検索対象となっている放送番組は、検索子のキーワードと同じキーワードを含むと判別したときには、当該放送番組は予約録画する放送番組としてセットする（ステップＳ９４）。
【０１８４】
そして、ＥＰＧの最後の放送番組まで上述のキーワード検索処理を終了したか否か判別し（ステップＳ９５）、最後の放送番組まで上述のキーワード検索処理を終了してはいないと判別したときには、ＥＰＧデータの次の放送番組を指定して（ステップＳ９６）、ステップＳ９２に戻り、上述のキーワードの検索処理を繰り返す。
【０１８５】
また、ステップＳ９３で、検索対象となっている放送番組は、検索子のキーワードと同じキーワードを含まないと判別したときには、システムコントローラ部２０は、当該放送番組は予約録画しないとして予約録画のセット処理はすることなくステップＳ９５に進み、上述したステップＳ９５以降の処理を繰り返す。
【０１８６】
ステップＳ９５で、最後の放送番組まで上述のキーワード検索処理を終了したと判別したときには、システムコントローラ部２０は、セットされた予約録画番組の一覧リストを表示部２４において表示してユーザに提示し（ステップＳ９７）、実行しない予約録画番組のリストからの削除指示を受け付けて、当該削除指示された予約録画番組のセットを開示する（ステップＳ９８）。
【０１８７】
次に、ユーザからの予約録画実行指示を受けたか否か判別し（ステップＳ９９）、予約録画実行指示を受けてはいないと判別したときには、ステップＳ９８に戻り、また、予約録画実行指示を受けたと判別したときには、システムコントローラ部２０は、予約録画実行処理ルーチンを行うようにし（ステップＳ１００）、この処理ルーチンを終了する。これにより、セットされている予約録画番組のすべての予約録画が実行される。
【０１８８】
以上のようにして、この実施形態によれば、ユーザが嗜好するシーンを含む放送番組を自動的に予約録画することができる。
【０１８９】
［実施形態の変形例およびその他の実施形態］
以上の実施形態では、シーンに関連するキーワードは、クローズドキャプションの字幕・文字スーパーのテキスト情報から検出するようにしたが、オープンキャプションにより画像中に重畳されている字幕や文字スーパーを、画像情報から検出し、当該検出した字幕や文字スーパーの情報から、テキスト情報を抽出し、キーワードを検出するようにしても良い。
【０１９０】
また、各シーンの音声信号について文字認識を行ってテキスト情報に変換し、その変換したテキスト情報からキーワードを検出するようにしても良い。
【０１９１】
また、上述の実施形態では、記録再生装置においてユーザ操作するユーザについては、区別しなかったが、例えば再生に先立ち、ユーザ識別情報を入力させるように構成して、各ユーザごとに、キーワードについてのユーザ評価値を累積蓄積して、ユーザごとの嗜好に応じたダイジェスト再生および予約録画をすることができる。
【０１９２】
また、上述の実施形態では、キーワードのユーザ評価値は、ジャンル等の種別に関係なく、すべての記録放送番組情報の再生について累積加算して蓄積するようにしたが、例えば記録放送番組のジャンルなどの種別ごとに、ユーザ評価値累積蓄積部およびキーワードランキング生成部を設けて、ジャンルごとに、キーワードのユーザ評価値を累積加算して蓄積するようにして良い。
【０１９３】
その場合には、ユーザ評価反映ダイジェスト再生モードやユーザ評価反映予約録画モードの際に、例えばジャンルを指定して、そのジャンルごとのユーザ評価値累積蓄積部およびキーワードランキング生成部におけるキーワードのユーザ評価値やランキングを用いると共に、ユーザ評価反映ダイジェスト再生やユーザ評価反映予約録画を実行することができる。この場合、ユーザ評価反映予約録画モードにおいては、ＥＰＧデータから指定されたジャンルの放送番組を先ず選択し、その選択された放送番組についてのＥＰＧデータとしての説明のテキスト文字について、検索子として設定されたキーワードを含むか否かを判定するようにする。
【０１９４】
なお、放送番組の種別に応じた分け方としては、ジャンルに限られるものではなく、例えば特定のアーティストが出演する放送番組をＥＰＧデータから選択するなどの方法を用いることもできる。
【０１９５】
なお、上述の実施形態においては、推薦手段は、ダイジェスト再生あるいは予約録画として、シーンや番組を推薦するようにしたが、推薦手段が行うシーンや放送番組の提示は、これらダイジェスト再生あるいは予約録画の場合にのみに限定されるものではないことは言うまでもない。
【０１９６】
例えば、再生時に、検索子として設定されたランキングまでのキーワードを含むシーンはノーマル再生し、その他は早送り再生したり、ランキング上位のキーワードを含むシーンのサムネイルをユーザに提示し、その提示されたサムネイルをユーザが選択したら、そのサムネイルに対応するシーンを再生したりするようにしても良い。
【０１９７】
［その他の変形例等］
上述の実施形態の受信部２は、地上デジタルテレビ放送の受信部の場合である他、地上アナログテレビ放送の受信部、衛星デジタルテレビ放送の受信部、ケーブルテレビ放送の受信部、インターネット配信されたテレビ放送の受信部であっても、この発明は適用可能である。
【０１９８】
また、上述の実施形態は、テレビ放送番組の記録再生の場合に、この発明を適用した場合であるが、この発明は、テレビ放送番組の記録再生に限られるわけではなく、例えばラジオ放送番組の記録再生の他、種々の情報信号の記録再生に適用可能である。
【０１９９】
また、シーン変化点で区分けされるシーン区間は、上述の実施形態のように、映像情報および音声情報の両方の特徴量から検出する場合のみではなく、映像情報のみの特徴量から、あるいは、音声情報の特徴量のみから検出するようにすることもできる。
【図面の簡単な説明】
【０２００】
【図１】この発明による記録再生装置の実施形態のハードウエア構成例を示すブロック図である。
【図２】この発明による記録再生装置の実施形態を説明するために用いる図である。
【図３】この発明による記録再生装置の実施形態を説明するために用いる図である。
【図４】この発明による記録再生装置の実施形態を説明するために用いる図である。
【図５】この発明による記録再生装置の実施形態を説明するために用いる図である。
【図６】この発明による記録再生装置の実施形態を説明するために用いる図である。
【図７】この発明による記録再生装置の実施形態における記録再生の処理動作を説明するためのフローチャートの一部である。
【図８】この発明による記録再生装置の実施形態における記録処理動作を説明するためのフローチャートである。
【図９】この発明による記録再生装置の実施形態におけるキーワード検出処理動作を説明するためのフローチャートである。
【図１０】この発明による記録再生装置の実施形態における記録再生の処理動作を説明するためのフローチャートの一部である。
【図１１】この発明による記録再生装置の実施形態における記録再生の処理動作を説明するためのフローチャートの一部である。
【図１２】この発明による記録再生装置の実施形態におけるキーワードのユーザ評価値を用いた新規な再生処理動作を説明するためのフローチャートである。
【図１３】この発明による記録再生装置の実施形態におけるキーワードのユーザ評価値を用いた新規な予約録画処理動作を説明するためのフローチャートである。
【符号の説明】
【０２０１】
２…受信部、３…記録信号エンコード処理部、４…記録処理部、５…内蔵記録媒体、７…外部記録媒体、９…特徴量検出部、１０…シーン変化点検出部、１１…読み出し制御部、１２…再生処理部、１３…再生デコード出力部、１５…付加情報ファイル処理部、３１…字幕・文字スーパー検出部、３２…キーワード検出部、３３…ユーザ評価値生成部、３４…ユーザ評価値累積蓄積部、３５…キーワードランキング生成部
【図１】
2007281856.tif 000003
【図２】
2007281856.tif 000004
【図３】
2007281856.tif 000005
【図４】
2007281856.tif 000006
【図５】
2007281856.tif 000007
【図６】
2007281856.tif 000008
【図７】
2007281856.tif 000009
【図８】
2007281856.tif 000010
【図９】
2007281856.tif 000011
【図１０】
2007281856.tif 000012
【図１１】
2007281856.tif 000013
【図１２】
2007281856.tif 000014
【図１３】
2007281856.tif 000015
【手続補正書】
【提出日】平成19年4月6日(2007.4.6)
【手続補正１】
【補正対象書類名】特許請求の範囲
【補正対象項目名】全文
【補正方法】変更
【補正の内容】
【特許請求の範囲】
【請求項１】
情報信号を記録媒体に記録する情報信号記録手段と、
前記記録媒体に記録された情報信号を読み出して再生する再生手段と、
前記記録する情報信号および／または再生された情報信号について特徴量を検出する特徴量検出手段と、
前記特徴量検出手段で検出された前記特徴量を用いて、前記情報信号の区切りを検出する区切り検出手段と、
前記区切り検出手段で検出された前記区切りの隣接するものにより特定される分節区間毎に、当該分節区間に対応付けられたキーワードを取得するキーワード取得手段と、
前記キーワード取得手段で取得された前記キーワードを、前記情報信号の前記分節区間のそれぞれに対応して前記記録媒体に記録する分節区間毎キーワード記録手段と、
ユーザの操作入力を検出するユーザ操作入力検出手段と、
前記ユーザの操作入力を、前記ユーザ操作入力検出手段の検出出力を監視することにより監視し、前記情報信号を正常に再生することを要求しない操作入力については、負の方向のユーザ評価値を付与するようにして、前記分節区間のそれぞれに対応して、前記操作入力に基づくユーザ評価値を生成するユーザ評価値生成手段と、
前記ユーザ評価値生成手段で生成された前記分節区間のそれぞれについての前記ユーザ評価値を、前記分節区間の前記キーワードの評価値として対応させて、前記キーワード毎に前記ユーザ評価値を累積し、その累積した前記キーワード毎の評価値を蓄積するユーザ評価値累積蓄積手段と、
前記ユーザ評価値累積蓄積手段に蓄積された前記キーワードの評価値を参照し、前記評価値の大きい前記キーワードを前記分節区間のキーワードとして備える前記情報信号あるいは前記分節区間を、前記記録媒体に記録されている前記情報信号あるいは前記分節区間の中から検出して、ユーザに推薦して提示する推薦手段と、
を備える記録再生装置。
【請求項２】
通信網を通じて送られてくる情報信号を受信して、記録媒体に記録する情報信号記録手段と、
前記記録媒体に記録された情報信号を読み出して再生する再生手段と、
前記記録する情報信号および／または再生された情報信号について特徴量を検出する特徴量検出手段と、
前記特徴量検出手段で検出された前記特徴量を用いて、前記情報信号の区切りを検出する区切り検出手段と、
前記区切り検出手段で検出された前記区切りの隣接するものにより特定される分節区間毎に、当該分節区間に対応付けられたキーワードを取得するキーワード取得手段と、
前記キーワード取得手段で取得された前記キーワードを、前記情報信号の前記分節区間のそれぞれに対応して前記記録媒体に記録する分節区間毎キーワード記録手段と、
ユーザの操作入力を検出するユーザ操作入力検出手段と、
前記ユーザの操作入力を、前記ユーザ操作入力検出手段の検出出力を監視することにより監視し、前記情報信号を正常に再生することを要求しない操作入力については、負の方向のユーザ評価値を付与するようにして、前記分節区間のそれぞれに対応して、前記操作入力に基づくユーザ評価値を生成するユーザ評価値生成手段と、
前記ユーザ評価値生成手段で生成された前記分節区間のそれぞれについての前記ユーザ評価値を、前記分節区間の前記キーワードの評価値として対応させて、前記キーワード毎に前記ユーザ評価値を累積し、その累積した前記キーワード毎の評価値を蓄積するユーザ評価値累積蓄積手段と、
前記通信網を通じて送られてくる前記情報信号について、文字情報による関連情報を含む送信予定情報を受信する予定情報取得手段と、
前記予定情報取得手段で取得した前記送信予定情報に含まれる前記文字情報中に、前記ユーザ評価値累積蓄積手段に蓄積された前記キーワードの評価値のうち、前記評価値の大きい前記キーワードを含む送信予定の情報信号を検出して、ユーザに推薦して提示する推薦手段と、
を備える記録再生装置。
【請求項３】
情報信号を記録媒体に記録する情報信号記録手段と、
前記記録媒体に記録された情報信号を読み出して再生する再生手段と、
前記記録する情報信号および／または再生された情報信号について特徴量を検出する特徴量検出手段と、
前記特徴量検出手段で検出された前記特徴量を用いて、前記情報信号の区切りを検出する区切り検出手段と、
前記区切り検出手段で検出された前記区切りの隣接するものにより特定される分節区間毎に、当該分節区間に対応付けられたキーワードを取得するキーワード取得手段と、
前記キーワード取得手段で取得された前記キーワードを、前記情報信号の前記分節区間のそれぞれに対応して前記記録媒体に記録する分節区間毎キーワード記録手段と、
ユーザの操作入力を検出するユーザ操作入力検出手段と、
前記ユーザの操作入力を、前記ユーザ操作入力検出手段の検出出力を監視することにより監視し、前記情報信号を正常に再生することを要求しない操作入力については、負の方向のユーザ評価値を付与するようにして、前記分節区間のそれぞれに対応して、前記操作入力に基づくユーザ評価値を生成するユーザ評価値生成手段と、
前記ユーザ評価値生成手段で生成された前記分節区間のそれぞれについての前記ユーザ評価値を、前記分節区間の前記キーワードの評価値として対応させて、前記キーワード毎に前記ユーザ評価値を累積し、その累積した前記キーワード毎の評価値を蓄積するユーザ評価値累積蓄積手段と、
前記記録媒体に記録された前記分節区間毎の前記キーワードと、前記ユーザ評価値累積蓄積手段に蓄積された前記キーワードの評価値とに基づいて、前記分節区間についての再生態様または前記分節区間を含む情報信号の再生態様を制御する再生制御手段と、
を備える記録再生装置。
【請求項４】
請求項２に記載の記録再生装置において、
前記推薦手段で推薦された前記送信予定の情報信号を自動記録する手段を備える
ことを特徴とする記録再生装置。
【請求項５】
請求項１、請求項２または請求項３に記載の記録再生装置において、
前記情報信号は、テレビ放送信号の受信信号であって、
前記キーワード取得手段は、前記テレビ放送信号に含まれるクローズドキャプションの字幕および文字スーパーのテキストデータから前記キーワードを抽出する
ことを特徴とする記録再生装置。
【請求項６】
請求項１、請求項２または請求項３に記載の記録再生装置において、
前記情報信号は、テレビ放送信号の受信信号であって、
前記キーワード取得手段は、前記テレビ放送信号に含まれるオープンキャプションの字幕および文字スーパーの情報から文字テキストデータを抽出して、前記キーワードを抽出する
ことを特徴とする記録再生装置。
【請求項７】
請求項１、請求項２または請求項３に記載の記録再生装置において、
前記情報信号は、テレビ放送信号の受信信号であって、
前記キーワード取得手段は、前記テレビ放送信号の音声信号を音声認識して、文字テキストデータを抽出して、前記キーワードを抽出する
ことを特徴とする記録再生装置。
【請求項８】
請求項１に記載の記録再生装置において、
前記ユーザ評価値累積蓄積手段に記憶されている前記キーワード毎の前記ユーザ評価値に基づいて、前記キーワードにユーザ評価値に応じた順位を付けるランキング手段を備え、
前記推薦手段は、前記ランキング手段により付与された順位が高順位のキーワードと同一のキーワードを前記分節区間のキーワードとして備える前記情報信号あるいは前記分節区間を、前記記録媒体に記録されている前記情報信号あるいは前記分節区間の中から検出して、ユーザに推薦して提示する
ことを特徴とする記録再生装置。
【請求項９】
請求項２に記載の記録再生装置において、
前記ユーザ評価値累積蓄積手段に記憶されている前記キーワード毎の前記ユーザ評価値に基づいて、前記キーワードにユーザ評価値に応じた順位を付けるランキング手段を備え、
前記推薦手段は、前記ランキング手段により付与された順位が高順位のキーワードと同一のキーワードを前記送信予定情報に含まれる前記文字情報中に含む前記送信予定の情報信号を検出して、ユーザに推薦して提示する
ことを特徴とする記録再生装置。
【請求項１０】
請求項３に記載の記録再生装置において、
前記ユーザ評価値累積蓄積手段に記憶されている前記キーワード毎の前記ユーザ評価値に基づいて、前記キーワードにユーザ評価値に応じた順位を付けるランキング手段を備え、
前記再生制御手段は、前記ユーザ評価値累積蓄積手段に評価値が蓄積された前記キーワードのうち、前記ランキング手段により付与された順位が高順位のキーワードと同一のキーワードが関連する前記分節区間または当該分節区間を含む情報信号は、通常再生するように制御する
ことを特徴とする記録再生装置。
【請求項１１】
情報信号を記録媒体に記録する情報信号記録工程と、
前記記録媒体に記録された情報信号を読み出して再生する再生工程と、
前記記録する情報信号および／または再生された情報信号について特徴量を検出する特徴量検出工程と、
前記特徴量検出工程で検出された前記特徴量を記憶する特徴量記憶工程と、
前記特徴量検出工程で検出された前記特徴量を用いて、前記情報信号の区切りを検出する区切り検出工程と、
前記区切り検出工程で検出された前記区切りの隣接するものにより特定される分節区間毎に、当該分節区間に対応付けられたキーワードを取得するキーワード取得工程と、
前記キーワード取得工程で取得された前記キーワードを、前記情報信号の前記分節区間のそれぞれに対応して前記記録媒体に記録する分節区間毎キーワード記録工程と、
ユーザの操作入力を検出するユーザ操作入力検出工程と、
前記ユーザの操作入力を、前記ユーザ操作入力検出工程での検出出力を監視することにより監視し、前記情報信号を正常に再生することを要求しない操作入力については、負の方向のユーザ評価値を付与するようにして、前記分節区間のそれぞれに対応して、前記操作入力に基づくユーザ評価値を生成するユーザ評価値生成工程と、
前記ユーザ評価値生成工程で生成された前記分節区間のそれぞれについての前記ユーザ評価値を、前記分節区間の前記キーワードの評価値として対応させて、前記キーワード毎に前記ユーザ評価値を累積し、その累積した前記キーワード毎の評価値を蓄積するユーザ評価値累積蓄積工程と、
前記ユーザ評価値累積蓄積工程で蓄積された前記キーワードの評価値を参照し、前記評価値の大きい前記キーワードを前記分節区間のキーワードとして備える前記情報信号あるいは前記分節区間を、前記記録媒体に記録されている前記情報信号あるいは前記分節区間の中から検出して、ユーザに推薦して提示する推薦工程と、
を備える記録再生方法。
【請求項１２】
情報信号を記録媒体に記録する情報信号記録工程と、
前記記録媒体に記録された情報信号を読み出して再生する再生工程と、
前記記録する情報信号および／または再生された情報信号について特徴量を検出する特徴量検出工程と、
前記特徴量検出工程で検出された前記特徴量を記憶する特徴量記憶工程と、
前記特徴量検出工程で検出された前記特徴量を用いて、前記情報信号の区切りを検出する区切り検出工程と、
前記区切り検出工程で検出された前記区切りの隣接するものにより特定される分節区間毎に、当該分節区間に対応付けられたキーワードを取得するキーワード取得工程と、
前記キーワード取得工程で取得された前記キーワードを、前記情報信号の前記分節区間のそれぞれに対応して前記記録媒体に記録する分節区間毎キーワード記録工程と、
ユーザの操作入力を検出するユーザ操作入力検出工程と、
前記ユーザの操作入力を、前記ユーザ操作入力検出工程での検出出力を監視することにより監視し、前記情報信号を正常に再生することを要求しない操作入力については、負の方向のユーザ評価値を付与するようにして、前記分節区間のそれぞれに対応して、前記操作入力に基づくユーザ評価値を生成するユーザ評価値生成工程と、
前記ユーザ評価値生成工程で生成された前記分節区間のそれぞれについての前記ユーザ評価値を、前記分節区間の前記キーワードの評価値として対応させて、前記キーワード毎に前記ユーザ評価値を累積し、その累積した前記キーワード毎の評価値を蓄積するユーザ評価値累積蓄積工程と、
前記通信網を通じて送られてくる前記情報信号について、文字情報による関連情報を含む送信予定情報を受信する予定情報取得工程と、
前記予定情報取得工程で取得した前記送信予定情報に含まれる前記文字情報中に、前記ユーザ評価値累積蓄積工程で蓄積された前記キーワードの評価値のうち、前記評価値の大きい前記キーワードを含む送信予定の情報信号を検出して、ユーザに推薦して提示する推薦工程と、
を備える記録再生方法。
【請求項１３】
情報信号を記録媒体に記録する情報信号記録工程と、
前記記録媒体に記録された情報信号を読み出して再生する再生工程と、
前記記録する情報信号および／または再生された情報信号について特徴量を検出する特徴量検出工程と、
前記特徴量検出工程で検出された前記特徴量を記憶する特徴量記憶工程と、
前記特徴量検出工程で検出された前記特徴量を用いて、前記情報信号の区切りを検出する区切り検出工程と、
前記区切り検出工程で検出された前記区切りの隣接するものにより特定される分節区間毎に、当該分節区間に対応付けられたキーワードを取得するキーワード取得工程と、
前記キーワード取得工程で取得された前記キーワードを、前記情報信号の前記分節区間のそれぞれに対応して前記記録媒体に記録する分節区間毎キーワード記録工程と、
ユーザの操作入力を検出するユーザ操作入力検出工程と、
前記ユーザの操作入力を、前記ユーザ操作入力検出工程での検出出力を監視することにより監視し、前記情報信号を正常に再生することを要求しない操作入力については、負の方向のユーザ評価値を付与するようにして、前記分節区間のそれぞれに対応して、前記操作入力に基づくユーザ評価値を生成するユーザ評価値生成工程と、
前記ユーザ評価値生成工程で生成された前記分節区間のそれぞれについての前記ユーザ評価値を、前記分節区間の前記キーワードの評価値として対応させて、前記キーワード毎に前記ユーザ評価値を累積し、その累積した前記キーワード毎の評価値を蓄積するユーザ評価値累積蓄積工程と、
前記記録媒体に記録された前記分節区間毎の前記キーワードと、前記ユーザ評価値累積蓄積手段に蓄積された前記キーワードの評価値とに基づいて、前記分節区間についての再生態様または前記分節区間を含む情報信号の再生態様を制御する再生制御工程と、
を備えることを特徴とする記録再生方法。
【請求項１４】
情報信号が記録されると共に、前記情報信号についての特徴量が用いられて前記情報信号の区切りが検出され、前記区切りの隣接するものにより特定される分節区間毎に、当該分節区間に対応付けられたキーワードが前記情報信号および前記分節区間に対応付けられて記録されている記録媒体から前記情報信号を読み出して再生する再生手段と、
ユーザの操作入力を検出するユーザ操作入力検出手段と、
前記ユーザの操作入力を、前記ユーザ操作入力検出手段の検出出力を監視することにより監視し、前記情報信号を正常に再生することを要求しない操作入力については、負の方向のユーザ評価値を付与するようにして、前記分節区間のそれぞれに対応して、前記操作入力に基づくユーザ評価値を生成するユーザ評価値生成手段と、
前記ユーザ評価値生成手段で生成された前記分節区間のそれぞれについての前記ユーザ評価値を、前記分節区間の前記キーワードの評価値として対応させて、前記キーワード毎に前記ユーザ評価値を累積し、その累積した前記キーワード毎の評価値を蓄積するユーザ評価値累積蓄積手段と、
前記ユーザ評価値累積蓄積手段に蓄積された前記キーワードの評価値を参照し、前記評価値の大きい前記キーワードを前記分節区間のキーワードとして備える前記情報信号あるいは前記分節区間を、前記記録媒体に記録されている前記情報信号あるいは前記分節区間の中から検出して、ユーザに推薦して提示する推薦手段と、
を備える再生装置。
【請求項１５】
情報信号が記録されると共に、前記情報信号についての特徴量が用いられて前記情報信号の区切りが検出され、前記区切りの隣接するものにより特定される分節区間毎に、当該分節区間に対応付けられたキーワードが前記情報信号および前記分節区間に対応付けられて記録されている記録媒体から前記情報信号を読み出して再生する再生手段と、
ユーザの操作入力を検出するユーザ操作入力検出手段と、
前記ユーザの操作入力を、前記ユーザ操作入力検出手段の検出出力を監視することにより監視し、前記情報信号を正常に再生することを要求しない操作入力については、負の方向のユーザ評価値を付与するようにして、前記分節区間のそれぞれに対応して、前記操作入力に基づくユーザ評価値を生成するユーザ評価値生成手段と、
前記ユーザ評価値生成手段で生成された前記分節区間のそれぞれについての前記ユーザ評価値を、前記分節区間の前記キーワードの評価値として対応させて、前記キーワード毎に前記ユーザ評価値を累積し、その累積した前記キーワード毎の評価値を蓄積するユーザ評価値累積蓄積手段と、
前記通信網を通じて送られてくる前記情報信号について、文字情報による関連情報を含む送信予定情報を受信する予定情報取得手段と、
前記予定情報取得手段で取得した前記送信予定情報に含まれる前記文字情報中に、前記ユーザ評価値累積蓄積手段に蓄積された前記キーワードの評価値のうち、前記評価値の大きい前記キーワードを含む送信予定の情報信号を検出して、ユーザに推薦して提示する推薦手段と、
を備える再生装置。
【請求項１６】
情報信号が記録されると共に、前記情報信号についての特徴量が用いられて前記情報信号の区切りが検出され、前記区切りの隣接するものにより特定される分節区間毎に、当該分節区間に対応付けられたキーワードが前記情報信号および前記分節区間に対応付けられて記録されている記録媒体から前記情報信号を読み出して再生する再生手段と、
ユーザの操作入力を検出するユーザ操作入力検出手段と、
前記ユーザの操作入力を、前記ユーザ操作入力検出手段の検出出力を監視することにより監視し、前記情報信号を正常に再生することを要求しない操作入力については、負の方向のユーザ評価値を付与するようにして、前記分節区間のそれぞれに対応して、前記操作入力に基づくユーザ評価値を生成するユーザ評価値生成手段と、
前記ユーザ評価値生成手段で生成された前記分節区間のそれぞれについての前記ユーザ評価値を、前記分節区間の前記キーワードの評価値として対応させて、前記キーワード毎に前記ユーザ評価値を累積し、その累積した前記キーワード毎の評価値を蓄積するユーザ評価値累積蓄積手段と、
前記記録媒体に記録された前記分節区間毎の前記キーワードと、前記ユーザ評価値累積蓄積手段に蓄積された前記キーワードの評価値とに基づいて、前記分節区間についての再生態様または前記分節区間を含む情報信号の再生態様を制御する再生制御手段と、
を備える再生装置。
【請求項１７】
情報信号が記録されると共に、前記情報信号についての特徴量が用いられて前記情報信号の区切りが検出され、前記区切りの隣接するものにより特定される分節区間毎に、当該分節区間に対応付けられたキーワードが前記情報信号および前記分節区間に対応付けられて記録されている記録媒体から前記情報信号を読み出して再生する再生工程と、
ユーザの操作入力を検出するユーザ操作入力検出工程と、
前記ユーザの操作入力を、前記ユーザ操作入力検出工程での検出出力を監視することにより監視し、前記情報信号を正常に再生することを要求しない操作入力については、負の方向のユーザ評価値を付与するようにして、前記分節区間のそれぞれに対応して、前記操作入力に基づくユーザ評価値を生成するユーザ評価値生成工程と、
前記ユーザ評価値生成工程で生成された前記分節区間のそれぞれについての前記ユーザ評価値を、前記分節区間の前記キーワードの評価値として対応させて、前記キーワード毎に前記ユーザ評価値を累積し、その累積した前記キーワード毎の評価値を蓄積するユーザ評価値累積蓄積工程と、
前記ユーザ評価値累積蓄積工程で蓄積された前記キーワードの評価値を参照し、前記評価値の大きい前記キーワードを前記分節区間のキーワードとして備える前記情報信号あるいは前記分節区間を、前記記録媒体に記録されている前記情報信号あるいは前記分節区間の中から検出して、ユーザに推薦して提示する推薦工程と、
を備える再生方法。
【請求項１８】
情報信号が記録されると共に、前記情報信号についての特徴量が用いられて前記情報信号の区切りが検出され、前記区切りの隣接するものにより特定される分節区間毎に、当該分節区間に対応付けられたキーワードが前記情報信号および前記分節区間に対応付けられて記録されている記録媒体から前記情報信号を読み出して再生する再生手段と、
ユーザの操作入力を検出するユーザ操作入力検出工程と、
前記ユーザの操作入力を、前記ユーザ操作入力検出工程での検出出力を監視することにより監視し、前記情報信号を正常に再生することを要求しない操作入力については、負の方向のユーザ評価値を付与するようにして、前記分節区間のそれぞれに対応して、前記操作入力に基づくユーザ評価値を生成するユーザ評価値生成工程と、
前記ユーザ評価値生成工程で生成された前記分節区間のそれぞれについての前記ユーザ評価値を、前記分節区間の前記キーワードの評価値として対応させて、前記キーワード毎に前記ユーザ評価値を累積し、その累積した前記キーワード毎の評価値を蓄積するユーザ評価値累積蓄積工程と、
前記通信網を通じて送られてくる前記情報信号について、文字情報による関連情報を含む送信予定情報を受信する予定情報取得工程と、
前記予定情報取得工程で取得した前記送信予定情報に含まれる前記文字情報中に、前記ユーザ評価値累積蓄積工程で蓄積された前記キーワードの評価値のうち、前記評価値の大きい前記キーワードを含む送信予定の情報信号を検出して、ユーザに推薦して提示する推薦工程と、
を備える再生方法。
【請求項１９】
情報信号が記録されると共に、前記情報信号についての特徴量が用いられて前記情報信号の区切りが検出され、前記区切りの隣接するものにより特定される分節区間毎に、当該分節区間に対応付けられたキーワードが前記情報信号および前記分節区間に対応付けられて記録されている記録媒体から前記情報信号を読み出して再生する再生工程と、
ユーザの操作入力を検出するユーザ操作入力検出工程と、
前記ユーザの操作入力を、前記ユーザ操作入力検出工程での検出出力を監視することにより監視し、前記情報信号を正常に再生することを要求しない操作入力については、負の方向のユーザ評価値を付与するようにして、前記分節区間のそれぞれに対応して、前記操作入力に基づくユーザ評価値を生成するユーザ評価値生成工程と、
前記ユーザ評価値生成工程で生成された前記分節区間のそれぞれについての前記ユーザ評価値を、前記分節区間の前記キーワードの評価値として対応させて、前記キーワード毎に前記ユーザ評価値を累積し、その累積した前記キーワード毎の評価値を蓄積するユーザ評価値累積蓄積工程と、
前記記録媒体に記録された前記分節区間毎の前記キーワードと、前記ユーザ評価値累積蓄積工程で蓄積された前記キーワードの評価値とに基づいて、前記分節区間についての再生態様または前記分節区間を含む情報信号の再生態様を制御する再生制御工程と、
を備える再生方法。
【手続補正２】
【補正対象書類名】明細書
【補正対象項目名】００１０
【補正方法】変更
【補正の内容】
【００１０】
上記の課題を解決するために、請求項１の発明は、
情報信号を記録媒体に記録する情報信号記録手段と、
前記記録媒体に記録された情報信号を読み出して再生する再生手段と、
前記記録する情報信号および／または再生された情報信号について特徴量を検出する特徴量検出手段と、
前記特徴量検出手段で検出された前記特徴量を用いて、前記情報信号の区切りを検出する区切り検出手段と、
前記区切り検出手段で検出された前記区切りの隣接するものにより特定される分節区間毎に、当該分節区間に対応付けられたキーワードを取得するキーワード取得手段と、
前記キーワード取得手段で取得された前記キーワードを、前記情報信号の前記分節区間のそれぞれに対応して前記記録媒体に記録する分節区間毎キーワード記録手段と、
ユーザの操作入力を検出するユーザ操作入力検出手段と、
前記ユーザの操作入力を、前記ユーザ操作入力検出手段の検出出力を監視することにより監視し、前記情報信号を正常に再生することを要求しない操作入力については、負の方向のユーザ評価値を付与するようにして、前記分節区間のそれぞれに対応して、前記操作入力に基づくユーザ評価値を生成するユーザ評価値生成手段と、
前記ユーザ評価値生成手段で生成された前記分節区間のそれぞれについての前記ユーザ評価値を、前記分節区間の前記キーワードの評価値として対応させて、前記キーワード毎に前記ユーザ評価値を累積し、その累積した前記キーワード毎の評価値を蓄積するユーザ評価値累積蓄積手段と、
前記ユーザ評価値累積蓄積手段に蓄積された前記キーワードの評価値を参照し、前記評価値の大きい前記キーワードを前記分節区間のキーワードとして備える前記情報信号あるいは前記分節区間を、前記記録媒体に記録されている前記情報信号あるいは前記分節区間の中から検出して、ユーザに推薦して提示する推薦手段と、
を備える記録再生装置を提供する。
【手続補正３】
【補正対象書類名】明細書
【補正対象項目名】００１２
【補正方法】変更
【補正の内容】
【００１２】
そして、各分節区間のそれぞれについてのユーザ評価値を、各分節区間のキーワードの評価値として対応させて、キーワード毎にユーザ評価値を累積し、その累積したキーワード毎の評価値をユーザ評価値累積蓄積手段に蓄積する。したがって、ユーザ評価値累積蓄積手段に蓄積されたキーワードのうち、評価値が高いキーワードは、ユーザが嗜好するシーンに関連するキーワードとなっている。
【手続補正４】
【補正対象書類名】明細書
【補正対象項目名】００１３
【補正方法】変更
【補正の内容】
【００１３】
一方、情報信号は、その分節区間毎のキーワードと共に記録媒体に記録されている。推薦手段は、記録媒体に記録されている情報信号のうちの、ユーザ評価値累積蓄積手段に蓄積されているキーワードのうちの、ユーザが嗜好するシーンに関連する評価値の高いキーワードを含む分節区間または当該分節区間を含む情報信号を検出して、それをユーザに推薦して提示するようにする。
【手続補正５】
【補正対象書類名】明細書
【補正対象項目名】００１５
【補正方法】変更
【補正の内容】
【００１５】
また、請求項２の発明は、
通信網を通じて送られてくる情報信号を受信して、記録媒体に記録する情報信号記録手段と、
前記記録媒体に記録された情報信号を読み出して再生する再生手段と、
前記記録する情報信号および／または再生された情報信号について特徴量を検出する特徴量検出手段と、
前記特徴量検出手段で検出された前記特徴量を用いて、前記情報信号の区切りを検出する区切り検出手段と、
前記区切り検出手段で検出された前記区切りの隣接するものにより特定される分節区間毎に、当該分節区間に対応付けられたキーワードを取得するキーワード取得手段と、
前記キーワード取得手段で取得された前記キーワードを、前記情報信号の前記分節区間のそれぞれに対応して前記記録媒体に記録する分節区間毎キーワード記録手段と、
ユーザの操作入力を検出するユーザ操作入力検出手段と、
前記ユーザの操作入力を、前記ユーザ操作入力検出手段の検出出力を監視することにより監視し、前記情報信号を正常に再生することを要求しない操作入力については、負の方向のユーザ評価値を付与するようにして、前記分節区間のそれぞれに対応して、前記操作入力に基づくユーザ評価値を生成するユーザ評価値生成手段と、
前記ユーザ評価値生成手段で生成された前記分節区間のそれぞれについての前記ユーザ評価値を、前記分節区間の前記キーワードの評価値として対応させて、前記キーワード毎に前記ユーザ評価値を累積し、その累積した前記キーワード毎の評価値を蓄積するユーザ評価値累積蓄積手段と、
前記通信網を通じて送られてくる前記情報信号について、文字情報による関連情報を含む送信予定情報を受信する予定情報取得手段と、
前記予定情報取得手段で取得した前記送信予定情報に含まれる前記文字情報中に、前記ユーザ評価値累積蓄積手段に蓄積された前記キーワードの評価値のうち、前記評価値の大きい前記キーワードを含む送信予定の情報信号を検出して、ユーザに推薦して提示する推薦手段と、
を備える記録再生装置を提供する。
【手続補正６】
【補正対象書類名】明細書
【補正対象項目名】００１６
【補正方法】変更
【補正の内容】
【００１６】
この請求項２の発明においては、請求項１の発明と全く同様にして、ユーザ評価値累積蓄積手段に蓄積されたキーワードのうち、評価値が高いキーワードは、ユーザが嗜好するシーンに関連するキーワードとなっている。
【手続補正７】
【補正対象書類名】明細書
【補正対象項目名】００１７
【補正方法】変更
【補正の内容】
【００１７】
この請求項２においては、推薦手段は、例えばＥＰＧデータのような送信予定情報に含まれる文字情報中に、ユーザ評価値累積蓄積手段に蓄積されているキーワードのうちの、ユーザが嗜好するシーンに関連する評価値の高いキーワードを含む送信予定の情報信号を検出し、その送信予定の情報信号をユーザに推薦、提示するようにする。
【手続補正８】
【補正対象書類名】明細書
【補正対象項目名】００１８
【補正方法】変更
【補正の内容】
【００１８】
また、請求項３の発明は、
情報信号を記録媒体に記録する情報信号記録手段と、
前記記録媒体に記録された情報信号を読み出して再生する再生手段と、
前記記録する情報信号および／または再生された情報信号について特徴量を検出する特徴量検出手段と、
前記特徴量検出手段で検出された前記特徴量を用いて、前記情報信号の区切りを検出する区切り検出手段と、
前記区切り検出手段で検出された前記区切りの隣接するものにより特定される分節区間毎に、当該分節区間に対応付けられたキーワードを取得するキーワード取得手段と、
前記キーワード取得手段で取得された前記キーワードを、前記情報信号の前記分節区間のそれぞれに対応して前記記録媒体に記録する分節区間毎キーワード記録手段と、
ユーザの操作入力を検出するユーザ操作入力検出手段と、
前記ユーザの操作入力を、前記ユーザ操作入力検出手段の検出出力を監視することにより監視し、前記情報信号を正常に再生することを要求しない操作入力については、負の方向のユーザ評価値を付与するようにして、前記分節区間のそれぞれに対応して、前記操作入力に基づくユーザ評価値を生成するユーザ評価値生成手段と、
前記ユーザ評価値生成手段で生成された前記分節区間のそれぞれについての前記ユーザ評価値を、前記分節区間の前記キーワードの評価値として対応させて、前記キーワード毎に前記ユーザ評価値を累積し、その累積した前記キーワード毎の評価値を蓄積するユーザ評価値累積蓄積手段と、
前記記録媒体に記録された前記分節区間毎の前記キーワードと、前記ユーザ評価値累積蓄積手段に蓄積された前記キーワードの評価値とに基づいて、前記分節区間についての再生態様または前記分節区間を含む情報信号の再生態様を制御する再生制御手段と、
を備える記録再生装置を提供する。
【手続補正９】
【補正対象書類名】明細書
【補正対象項目名】００１９
【補正方法】変更
【補正の内容】
【００１９】
この請求項３の発明においても、請求項１および請求項２の発明と全く同様にして、ユーザ評価値累積蓄積手段に蓄積されたキーワードのうち、評価値が高いキーワードは、ユーザが嗜好するシーンに関連するキーワードとなっている。
【手続補正１０】
【補正対象書類名】明細書
【補正対象項目名】００２０
【補正方法】変更
【補正の内容】
【００２０】
そして、この請求項３においては、再生制御手段は、記録媒体から読み出された情報信号に際して、例えば、ユーザ評価値累積蓄積手段に蓄積されているキーワードのうちの、ユーザが嗜好するシーンに関連する評価値の高いキーワードを含む分節区間はノーマル再生し、その他の分節区間は早送りやスキップするなどの再生制御をすることができる。
【手続補正１１】
【補正対象書類名】明細書
【補正対象項目名】００６２
【補正方法】変更
【補正の内容】
【００６２】
記録処理部４は、関連する字幕・文字スーパーがないシーンに関しては、シーン変化点検出部１０からのシーンの開始点および終了点からなるシーン変化点の組を記録媒体５または外部記録媒体７に記録し、関連する字幕・文字スーパーが存在するシーンに関しては、シーンの開始点および終了点からなるシーン変化点の組と、キーワード検出部３２からの当該シーンに関連するキーワードとを対応付けて、記録媒体４または外部記録媒体７に記録するようにする。
【手続補正１２】
【補正対象書類名】明細書
【補正対象項目名】００６４
【補正方法】変更
【補正の内容】
【００６４】
図３に、記録媒体５または外部記録媒体７に記録される付加情報ファイル中の、シーンの開始点および終了点からなるシーン変化点の組と、関連するキーワードとの対応データの部分の例を示す。
【手続補正１３】
【補正対象書類名】明細書
【補正対象項目名】０１４７
【補正方法】変更
【補正の内容】
【０１４７】
この指示を受けたユーザ評価値生成部３３では、例えば前述した図２の例のように、早送り再生に割り当てられたユーザ評価値を用いて、早送り再生されたシーンのユーザ評価値を生成し、生成したユーザ評価値を早送り再生されたシーンのシーン変化点に対応して、例えば内蔵するバッファメモリに保持する。
【手続補正１４】
【補正対象書類名】明細書
【補正対象項目名】０１５２
【補正方法】変更
【補正の内容】
【０１５２】
この指示を受けたユーザ評価値生成部３３では、例えば前述した図２の例のように、スキップ再生に割り当てられたユーザ評価値を用いて、スキップ再生されたシーンのユーザ評価値を生成し、生成したユーザ評価値をスキップ再生されたシーンのシーン変化点に対応して、例えば内蔵するバッファメモリに保持する。
【手続補正１５】
【補正対象書類名】明細書
【補正対象項目名】０１５７
【補正方法】変更
【補正の内容】
【０１５７】
この指示を受けたユーザ評価値生成部３３では、例えば前述した図２の例のように、巻き戻し再生に割り当てられたユーザ評価値を用いて、巻き戻し再生されたシーンのユーザ評価値を生成し、生成したユーザ評価値を巻き戻し再生されたシーンのシーン変化点に対応して、例えば内蔵するバッファメモリに保持する。
【手続補正１６】
【補正対象書類名】明細書
【補正対象項目名】０１５９
【補正方法】変更
【補正の内容】
【０１５９】
この指示を受けたユーザ評価値生成部３３では、例えば前述した図２の例のように、ノーマル再生に割り当てられたユーザ評価値を用いて、ノーマル再生されたシーンのユーザ評価値を生成し、生成したユーザ評価値をノーマル再生されたシーンのシーン変化点に対応して、例えば内蔵するバッファメモリに保持する。
【手続補正１７】
【補正対象書類名】明細書
【補正対象項目名】０１６０
【補正方法】変更
【補正の内容】
【０１６０】
なお、この例では、ノーマル再生に対しては、ユーザ評価値は「０」としているので、ステップＳ７１は設けずに、ステップＳ６８で巻き戻し再生指示操作がなされていないと判別したときには、このステップＳ６８からステップＳ７１に飛ぶようにしても良い。
【手続補正１８】
【補正対象書類名】明細書
【補正対象項目名】０１６１
【補正方法】変更
【補正の内容】
【０１６１】
ステップＳ７０またはステップＳ７１の後、システムコントローラ部２０は、ユーザ操作入力として再生終了指示操作があったか否か判別し（ステップＳ６４）、再生終了指示操作がないと判別したときには、図１０のステップＳ４５に戻る。
【手続補正１９】
【補正対象書類名】明細書
【補正対象項目名】０１６２
【補正方法】変更
【補正の内容】
【０１６２】
そして、ステップＳ６４で、再生終了指示操作があったと判別したときには、システムコントローラ部２０は、再生を終了させる処理（ステップＳ６５）をした後、ステップＳ４９、ステップＳ６３、ステップＳ７０およびステップＳ７１でバッファメモリに保持していた、それぞれの再生態様で再生されたシーンのシーン変化点の対（シーン）と、生成した更新されたユーザ評価値とを用いて、各シーンのキーワードについてのユーザ評価値を更新し、当該更新したキーワードのユーザ評価値を、キーワードランキング生成部３５に供給するようにする（ステップＳ６６）。